(57)【特許請求の範囲】
【請求項１】
少なくとも３つの記録層を有する情報記録媒体において、
前記各記録層は、内周領域とデータ領域とを含み、
前記各記録層は、前記データ領域で検出された欠陥についての情報を記録するための臨時欠陥管理領域を、前記内周領域に含み、
前記少なくとも３つの記録層は、ピックアップに最も遠く配置される第１記録層と、前記ピックアップから最も近く配置される第３記録層、それから前記第１記録層及び前記第３記録層の間に配置される第２記録層とを含み、
前記第１記録層の内周領域に割り当てられる臨時欠陥管理領域の大きさは前記第２記録層の内周領域に割り当てられる臨時欠陥管理領域の大きさより小さく、前記第２記録層の内周領域に割り当てられる臨時欠陥管理領域の大きさは前記第３記録層の内周領域に割り当てられる臨時欠陥管理領域の大きさより小さいことを特徴とする情報記録媒体。
【請求項２】
臨時ディスク定義構造は、前記臨時欠陥管理領域の大きさについての情報を含むことを特徴とする請求項１に記載の情報記録媒体。
【請求項３】
少なくとも３つの記録層を含み、前記各記録層が、内周領域とデータ領域を含み、前記各記録層が、前記データ領域で検出された欠陥についての情報を記録するための臨時欠陥管理領域を前記内周領域に含む情報記録媒体にデータを記録する装置において、
前記情報記録媒体と係わって、データを伝達するピックアップと、
前記情報記録媒体の少なくとも一つの記録層の前記臨時欠陥管理領域に、前記データ領域で検出される欠陥についての情報を記録するように、前記ピックアップを制御する制御部と、を含み、
前記制御部は、前記ピックアップに最も遠く配置される第１記録層と、前記ピックアップから最も近く配置される第３記録層、それから前記第１記録層及び前記第３記録層の間に配置される第２記録層を含み、前記第１記録層の内周領域に割り当てられる臨時欠陥管理領域の大きさは前記第２記録層の内周領域に割り当てられる臨時欠陥管理領域の大きさより小さく、前記第２記録層の内周領域に割り当てられる臨時欠陥管理領域の大きさは前記第３記録層の内周領域に割り当てられる臨時欠陥管理領域の大きさより小さい、前記少なくとも３つの記録層から欠陥情報を検出するように前記ピックアップを制御し、
前記制御部は、前記臨時欠陥管理領域の大きさに基づき、前記欠陥が検出された前記少なくとも３つの記録層のうち少なくとも一つの臨時欠陥管理領域に前記検出された欠陥についての情報を記録するように前記ピックアップを制御することを特徴とする記録装置。
【請求項４】
前記臨時欠陥管理領域の大きさについての情報が、臨時ディスク定義構造に記録されることを特徴とする請求項３に記載の記録装置。
【請求項５】
少なくとも３つの記録層を含み、前記各記録層が、内周領域とデータ領域を含み、前記各記録層が、前記データ領域で検出された欠陥についての情報を記録するための臨時欠陥管理領域を前記内周領域に含む情報記録媒体からデータを再生する装置において、
前記情報記録媒体と係わって、データを伝達するピックアップと、
前記情報記録媒体の少なくとも一つの記録層の前記臨時欠陥管理領域から前記欠陥についての情報を読み取るように、前記ピックアップを制御する制御部と、を含み、
前記制御部は、前記ピックアップに最も遠く配置される第１記録層と、前記ピックアップから最も近く配置される第３記録層、それから前記第１記録層及び前記第３記録層の間に配置される第２記録層を含み、前記第１記録層の内周領域に割り当てられる臨時欠陥管理領域の大きさは前記第２記録層の内周領域に割り当てられる臨時欠陥管理領域の大きさより小さく、前記第２記録層の内周領域に割り当てられる臨時欠陥管理領域の大きさは前記第３記録層の内周領域に割り当てられる臨時欠陥管理領域の大きさより小さい、前記少なくとも３つの記録層の臨時欠陥管理領域から、前記臨時欠陥管理領域の大きさに基づき、欠陥情報を読み取るように前記ピックアップを制御することを特徴とする再生装置。
【請求項６】
前記臨時欠陥管理領域の大きさについての情報が、臨時ディスク定義構造に記録されることを特徴とする請求項５に記載の再生装置。
【請求項７】
少なくとも３つの記録層を含み、前記各記録層が、内周領域とデータ領域を含み、前記各記録層が、前記データ領域で検出された欠陥についての情報を記録するための臨時欠陥管理領域を前記内周領域に含む情報記録媒体にデータを記録する方法において、
前記情報記録媒体と係わって、データを伝達する段階と、
前記情報記録媒体の少なくとも一つの記録層の前記臨時欠陥管理領域に、前記データ領域で検出される欠陥についての情報を記録する段階と、を含み、
前記伝達段階は、ピックアップに最も遠く配置される第１記録層と、前記ピックアップから最も近く配置される第３記録層、それから前記第１記録層及び前記第３記録層の間に配置される第２記録層を含む前記少なくとも３つの記録層から欠陥情報を検出する段階とを含み、
前記記録段階は、前記臨時欠陥管理領域の大きさに基づき、前記欠陥が検出された前記少なくとも３つの記録層のうち少なくとも一つの臨時欠陥管理領域に前記検出された欠陥についての情報を記録する段階を含み、前記第１記録層の内周領域に割り当てられる臨時欠陥管理領域の大きさは前記第２記録層の内周領域に割り当てられる臨時欠陥管理領域の大きさより小さい、前記第２記録層の内周領域に割り当てられる臨時欠陥管理領域の大きさは前記第３記録層の内周領域に割り当てられる臨時欠陥管理領域の大きさより小さいことを特徴とする記録方法。
【請求項８】
前記臨時欠陥管理領域の大きさについての情報が、臨時ディスク定義構造に記録されることを特徴とする請求項７に記載の記録方法。
【請求項９】
少なくとも３つの記録層を含み、前記各記録層が、内周領域とデータ領域を含み、前記各記録層が、前記データ領域で検出された欠陥についての情報を記録するための臨時欠陥管理領域を前記内周領域に含む情報記録媒体からデータを再生する方法において、
前記情報記録媒体と係わって、データを伝達する段階と、
前記情報記録媒体の少なくとも一つの記録層の前記臨時欠陥管理領域から前記欠陥についての情報を再生する段階と、を含み、
前記再生段階は、前記臨時欠陥管理領域の大きさに基づき、ピックアップに最も遠く配置される第１記録層と、前記ピックアップから最も近く配置される第３記録層、それから前記第１記録層及び前記第３記録層の間に配置される第２記録層を含む前記少なくとも３つの記録層の臨時欠陥管理領域から欠陥情報を読み取る段階とを含み、
前記第１記録層の内周領域に割り当てられる臨時欠陥管理領域の大きさは前記第２記録層の内周領域に割り当てられる臨時欠陥管理領域の大きさより小さく、前記第２記録層の内周領域に割り当て荒れる臨時欠陥管理領域の大きさは前記第３記録層の内周領域に割り当てられる臨時欠陥管理領域の大きさより小さいことを特徴とする再生方法。
【請求項１０】
前記臨時欠陥管理領域の大きさについての情報が、臨時ディスク定義構造に記録されることを特徴とする請求項９に記載の再生方法。
【発明の詳細な説明】
【技術分野】
【０００１】
本発明は、情報記録媒体に係り、特に、多層情報記録媒体、記録再生装置及び記録再生方法に関する。
【背景技術】
【０００２】
情報記録媒体または有無線ネットワークを介した情報伝送の高容量化または大量化のために、情報記録媒体に記録されるデータの高密度、多層のような多様な方法が考案されている。一般的には、情報記録媒体のそれぞれの層は、ディスク記録／再生管理のための領域が設けられているので、多層によって、このようなディスク記録／再生管理のための領域がさらに必要になる場合がある。代表的な場合が、光パワー制御領域（optical  power  control（ＯＰＣ）area）である。ＯＰＣ領域は、パワー（power）をカリブレーション（calibration；調整）するためのテスト領域であり、媒体にデータを記録したり再生するのに適正なパワーを、テストを介して見出すための領域である。最適のパワーを見出すためのテストを行うために、正常な記録パワーよりも高いパワーでテストする可能性があり、従って、同一半径付近にある隣接層の領域が損傷を受ける可能性が非常に高く、与えられたＯＰＣ領域と隣接層（特に、光ビーム（optical beam）の進行方向下にある層）の領域は使用し難い。これによって、多層の場合、新たなＯＰＣ領域が必要になる。一例として、ブルーレイディスク（ＢＤ：blu-ray  disc）は、シングルレイヤ（ＳＬ：single  layer）またはデュアルレイヤ（ＤＬ：dual  layer）のためのＯＰＣ領域が設けられているが、高容量化のために、トリプルレイヤ（ＴＬ：triple  layer）またはクァドラプルレイヤ（ＱＬ：quadruple  layer）のディスクのためには、別途のＯＰＣ領域が必要になる。
【０００３】
また、このように、多層によって必要な領域が増加することによって、領域の割り当てを効果的に行うことが要求される。
【０００４】
また、情報記録媒体の高容量化（大量化）のために、一般的に層当たり高密度と多層との二種を並行して高容量を達成する。このような層当たり高密度や多層によって生じる新たな情報の追加によって、既存規格の情報フォーマット（format）の変更が要求される。
【０００５】
実際に、現在ＢＤの物理規格は、レイヤ当たり２５ＧＢの記録密度で、シングルレイヤとデュアルレイヤとの二種を提案している。高容量化のために、レイヤ当たり３０ＧＢ〜４０ＧＢのトリプルレイヤ、クァドラプルレイヤのＢＤが登場するとき、高密度／多層によって、既存ＢＤ規格に適用された情報フォーマットには、新たな情報の追加が必要になる。また今後、現在のＳＬ／ＤＬ  ＢＤと前記ＴＬ／ＱＬ  ＢＤとをいずれも記録／再生可能にする装置の立場では、現在のＢＤ規格の情報フォーマットだけではなく、ＴＬ／ＱＬ  ＢＤ規格の情報フォーマットも認識しなければならない。
【０００６】
これによって、少なくとも高密度／多層のための情報フォーマットが、既存の情報フォーマットと互いに異なる場合、これを区分する方法が必要とされる。
【発明の概要】
【発明が解決しようとする課題】
【０００７】
本発明は、情報記録媒体の多層化によって、記録層に割り当てられる領域が増加することによって、これを決められた容量内で効果的に割り当てることができる情報記録媒体、装置、方法を提供することを目的とする。
【０００８】
また本発明は、ディスクの高密度／多層化によって、情報フォーマットを効率的に管理することを目的とする。
【課題を解決するための手段】
【０００９】
かような課題は、複数の記録層を有する情報記録媒体において、前記各記録層は、内周領域とデータ領域とを含み、前記複数の記録層のうち少なくとも１層は、前記データ領域で検出された欠陥についての情報を記録するための臨時欠陥管理領域を、その内周領域に含み、高層に配列された臨時欠陥管理領域の大きさは、低層に配列された臨時欠陥管理領域の大きさよりもさらに大きいことによって達成される。
【発明の効果】
【００１０】
本発明によれば、多層の情報記録媒体で増加する領域を効率的に配列することによって、既存の規格との互換性を維持しつつ、領域を効果的に割り当てることが可能である。
【００１１】
また本発明は、ディスクの高密度／多層化によって、情報フォーマットを効率的に管理することができる。
【図面の簡単な説明】
【００１２】
【図１】本発明によって、３層以上の情報記録媒体で、偏心などを考慮してＯＰＣ領域を割り当てる方法の基本的な概念を説明するためのディスク・レイアウトである。
【図２】ＢＤ−Ｒ（recordable）ＴＬ／ＱＬ（３２ＧＢ／Ｌまたは３３ＧＢ／Ｌ）のディスク・レイアウトの第１例である。
【図３】ＢＤ−Ｒ  ＴＬ／ＱＬ（３２ＧＢ／Ｌまたは３３ＧＢ／Ｌ）のディスク・レイアウトの第２例である。
【図４】ＢＤ−Ｒ  ＴＬ／ＱＬ（３２ＧＢ／Ｌまたは３３ＧＢ／Ｌ）のディスク・レイアウトの第３例である。
【図５】ＢＤ−Ｒ  ＴＬ／ＱＬ（３２ＧＢ／Ｌまたは３３ＧＢ／Ｌ）のディスク・レイアウトの第４例である。
【図６】ＢＤ−Ｒ  ＴＬ／ＱＬ（３２ＧＢ／Ｌまたは３３ＧＢ／Ｌ）のディスク・レイアウトの第５例である。
【図７】ＢＤ−Ｒ  ＴＬ（３２ＧＢ／Ｌまたは３３ＧＢ／Ｌ）のディスク・レイアウトの第１例である。
【図８】ＢＤ−Ｒ  ＴＬ（３２ＧＢ／Ｌまたは３３ＧＢ／Ｌ）のディスク・レイアウトの第２例である。
【図９】ＢＤ−ＲＥ（rewritable）ＴＬ／ＱＬ（３２ＧＢ／Ｌまたは３３ＧＢ／Ｌ）のディスク・レイアウトの第１例である。
【図１０】ＢＤ−ＲＥ  ＴＬ／ＱＬ（３２ＧＢ／Ｌまたは３３ＧＢ／Ｌ）のディスク・レイアウトの第２例である。
【図１１】３層からなるＢＤ−Ｒ媒体の内周領域のレイアウトを示す図である。
【図１２】３層からなるＢＤ−Ｒ／ＲＥ媒体のデータ領域でのスペア領域の割り当てを示す図である。
【図１３】３層ＢＤ−Ｒ媒体で、スペア領域内でのＴＤＭＡ（temporary  disc  management  area）割り当てを示すレイアウトである。
【図１４】４層からなるＢＤ−Ｒ媒体の内周領域のレイアウトを示す図である。
【図１５】４層からなるＢＤ−Ｒ／ＲＥ媒体のデータ領域でのスペア領域の割り当てを示す図である。
【図１６】４層ＢＤ−Ｒ媒体で、スペア領域内でのＴＤＭＡ割り当てを示すレイアウトである。
【図１７】図１１ないし図１３に図示されたディスク構造でのＴＤＭＡ  ＡＩＡ（access  information  area）を示す図である。
【図１８】図１４ないし図１６に図示されたディスク構造でのＴＤＭＡ  ＡＩＡを示す図である。
【図１９】ＴＤＭＳ（temporary  disc(or  defect)  management  structure）アップデート・ユニットの構造の例を示す図である。
【図２０】ＴＤＦＬ（temporary  defect  list）のサイズによって、ＴＤＭＡの早期消尽（early  exhaustion）を防止する第１の方法を説明するための参考図である。
【図２１】ＴＤＦＬのサイズによって、ＴＤＭＡの早期消尽を防止する第２の方法を説明するための参考図である。
【図２２】書き換え型媒体（例えば、ＢＤ−ＲＥ）のＤＤＳ（disc  definition  structure）フォーマットと、追記型情報記録媒体（例えば、ＢＤ−Ｒ）のＴＤＤＳフォーマットとを説明するための参考図である。
【図２３】図２２のＢＤ−Ｒ  only  partの具体的な構造を示す図である。
【図２４】従来のＴＤＦＬのフォーマットと、本発明の一例によるＴＤＦＬのフォーマットとを示す図である。
【図２５】従来のＰＡＣ（physical  access  control）のフォーマットと、本発明の一例によるＰＡＣのフォーマットとを示す図である。
【図２６】本発明による記録再生装置の概略的なブロック図である。
【図２７】図２６に図示された本発明による記録再生装置が具現されたドライブのブロック図である。
【図２８】本発明による記録方法の一例を示すフローチャートである。
【図２９】本発明による再生方法の一例を示すフローチャートである。
【発明を実施するための形態】
【００１３】
課題を解決するための本発明の１つの特徴は、複数の記録層を有する情報記録媒体において、前記各記録層は、内周領域とデータ領域とを含み、前記複数の記録層のうち少なくとも１層は、前記データ領域で検出された欠陥についての情報を記録するための臨時欠陥管理領域を、その内周領域に含み、高層（upper  layer）に配列された臨時欠陥管理領域の大きさは、低層（lower  layer）に配列された臨時欠陥管理領域の大きさよりもさらに大きいということである。
【００１４】
臨時ディスク定義構造は、前記臨時欠陥管理領域の大きさについての情報を含むことが望ましい。
【００１５】
本発明の他の特徴は、複数の記録層を有する情報記録媒体にデータを記録する装置において、前記各記録層が、内周領域とデータ領域とを含み、前記複数の記録層のうち少なくとも１層は、前記データ領域で検出された欠陥についての情報を記録するための臨時欠陥管理領域を、その内周領域に含む前記情報記録媒体と係わって、データを伝達するピックアップと、前記臨時欠陥管理領域に、前記欠陥についての情報を記録するように、前記ピックアップを制御する制御部と、を含み、高層に配列された臨時欠陥管理領域の大きさは、低層に配列された臨時欠陥管理領域の大きさよりもさらに大きいということである。
【００１６】
本発明のさらに他の特徴は、複数の記録層を有する情報記録媒体からデータを再生する装置において、前記各記録層が内周領域とデータ領域とを含み、前記複数の記録層のうち少なくとも１層は、前記データ領域で検出された欠陥についての情報を記録するための臨時欠陥管理領域を、その内周領域に含む前記情報記録媒体と係わって、データを伝達するピックアップと、前記臨時欠陥管理領域から前記欠陥についての情報を読み取るように、前記ピックアップを制御する制御部と、を含み、高層に配列された臨時欠陥管理領域の大きさは、低層に配列された臨時欠陥管理領域の大きさよりもさらに大きいということである。
【００１７】
本発明のさらに他の特徴は、複数の記録層を有する情報記録媒体にデータを記録する方法において、前記各記録層が内周領域とデータ領域とを含み、前記複数の記録層のうち少なくとも１層は、前記データ領域で検出された欠陥についての情報を記録するための臨時欠陥管理領域を、その内周領域に含む前記情報記録媒体と係わって、データを伝達する段階と、前記臨時欠陥管理領域に、前記欠陥についての情報を記録する段階と、を含み、高層に配列された臨時欠陥管理領域の大きさは、低層に配列された臨時欠陥管理領域の大きさよりもさらに大きいということである。
【００１８】
本発明のさらに他の特徴は、複数の記録層を有する情報記録媒体からデータを再生する方法において、前記各記録層が内周領域とデータ領域とを含み、前記複数の記録層のうち少なくとも１層は、前記データ領域で検出された欠陥についての情報を記録するための臨時欠陥管理領域を、その内周領域に含む前記情報記録媒体と係わって、データを伝達する段階と、前記臨時欠陥管理領域から前記欠陥についての情報を再生する段階を含み、高層に配列された臨時欠陥管理領域の大きさは、低層に配列された臨時欠陥管理領域の大きさよりもさらに大きいということである。
【実施例】
【００１９】
本発明は、３層以上の情報記録媒体において、それぞれの層は、内周側に少なくとも１つのＯＰＣ（optical  power  control）領域が設けられ、それぞれのＯＰＣ領域は、隣接層と、半径を中心にしてオーバーラップ（overlap）しないように割り当てられる。
【００２０】
各層のＯＰＣ領域は、当該層で、少なくとも１つの隣接したバッファ領域（buffer zone）を有するが、ディスク半径を中心したとき、少なくとも層数ほど存在するＯＰＣ領域のうち２つのＯＰＣ領域間に存在するＯＰＣ領域は、内側及び外側いずれにも隣接したバッファ領域を有する。
【００２１】
前記バッファ領域の大きさは、ディスク規格で定める各層間の偏心に該当する物理的な領域以上を割り当てる。例えば、隣接層間の偏心が半径０．１ｍｍ以内の誤差でディスクが製作されねばならないと規定するならば、前記バッファ領域は、半径０．１ｍｍ以上の大きさに割り当てられねばならない。
【００２２】
層間偏心とは、基準点（例えば、完成されたディスクの中心）を中心として、それぞれの層の同一半径にあると考える領域間の半径誤差をいう。例えば、それぞれの記録層（recording  layer）のデータ領域（data  area）が、半径２４ｍｍから始まると定義するとき、製造特性上、正確に始まり難く、また記録層を付けて完成された多層のディスクを製造するために、層間誤差もあり、一般的に規格上で、それぞれの記録層が、誤差限界±０．０５ｍｍをおき、２４．０±０．０５ｍｍから始まらなければならないと定義すれば、完成されたディスクの基準点で、ある記録層は、２３．９５ｍｍからデータ領域が始まり、ある記録層は、２４．０５ｍｍからデータ領域が始まるのである。この場合、記録層間の層間偏心は、最大０．１ｍｍが生じる。このような層間偏心のために、ＯＰＣ領域を割り当てるとき、隣接層間の層間偏心を考慮して、バッファ領域を割り当てなければならない。特に、光ビームが進行する方向下にある層は、その影響を無視することができない。
【００２３】
図１は、本発明によって、３層以上の情報記録媒体で、偏心などを考慮して、光パワー制御（ＯＰＣ：optical  power  control）領域を割り当てる方法の基本的な概念を説明するためのディスク・レイアウトである。
【００２４】
図１で、情報記録媒体は、Ｌ０  １０、Ｌ１  ２０、Ｌ２  ３０、Ｌ３  ４０の４層の記録層から構成される。光ビームは、Ｌ３側から入射される。ＯＰＣ領域は、リードイン領域またはリードアウト領域にも配列されるが、図１では、内周側リードイン領域に配列されているところを示している。Ｌ０には、ＯＰＣ領域０  ２１が配列され、Ｌ１には、ＯＰＣ領域１  ２２が配列され、Ｌ２には、ＯＰＣ領域２  ２３が配列され、Ｌ３には、ＯＰＣ領域３  ２４が配列される。そして、互いに隣接した２層に配列されたＯＰＣ領域は、半径を中心にして、オーバーラップされないように互いにずれて配列されている。言い換えれば、隣接した２層であるＬ０とＬ１との各ＯＰＣ領域０  ２１とＯＰＣ領域１  ２２は、層間偏心を考慮して、半径を中心にしてオーバーラップされないように、バッファ領域０  １１ほどの間隔をおいて配列される。同様に、Ｌ１とＬ２との各ＯＰＣ領域１  ２２とＯＰＣ領域２  ２３は、層間偏心を考慮して、半径を中心にしてオーバーラップされないように、バッファ領域１  １２ほどの間隔をおいて配列される。また同様に、Ｌ２とＬ３との各ＯＰＣ領域２  ２３とＯＰＣ領域３  ２４は、層間偏心を考慮して、半径を中心にしてオーバーラップされないように、バッファ領域２
１３ほどの間隔をおいて配列される。
【００２５】
そして、ＯＰＣ領域が存在する２層間に配列された層、すなわち、ＯＰＣ領域１  ２２を有しているＬ１  ２０と、ＯＰＣ領域３  ２４を有しているＬ３  ４０との間に存在する層であるＬ２  ３０のＯＰＣ領域２  ２３は、ＯＰＣ領域２の内側及び外側に、隣接したバッファ領域１  １２と、隣接したバッファ領域２  １３とがいずれも配列される。また、ＯＰＣ領域０１を有しているＬ０と、ＯＰＣ領域２を有しているＬ２との間に存在する層であるＬ１のＯＰＣ領域１も、ＯＰＣ領域１の内側及び外側に、隣接したバッファ領域０  １１と隣接したバッファ領域１  １２とがいずれも配列される。
【００２６】
このようなバッファ領域の大きさは、ディスク規格で定める各層間の偏心に該当する物理的な領域以上に割り当てることが望ましい。例えば、隣接層間偏心が、半径０．１ｍｍ以内の誤差でディスクが製作されねばならないと規定するならば、バッファ領域は、半径０．１ｍｍ以上の大きさに割り当てられねばならない。
【００２７】
図１で、内周側リードイン領域５０が終わる部分からは、データ領域６０が始まる。図１で、情報記録媒体を使用するトラックパスは、Ｌ０の内周側から始まって外周側に進み、Ｌ１では、外周側から始まって内周側に進むオポジット・トラックパス（ＯＴＰ：opposite  track  path）である。同様に、Ｌ２の内周側から始まって外周側に進み、Ｌ３では、外周側から始まって内周側に進むオポジット・トラックパス（ＯＴＰ）である。そして、各層でのＯＰＣ領域の使用方向、すなわち、ＯＰＣ領域内でのデータ記録方向は、トラックパス方向とは互いに反対である。例えば、Ｌ０でトラックパスは、内周から外周側であるが、ＯＰＣ０の使用方向は、外周から内周側である。
【００２８】
従って、Ｌ０からＬ３まででのＯＰＣ領域の配列は、多様に設定されうるが、Ｌ２とＬ３とでのＯＰＣ領域の配列を、Ｌ０とＬ１とでのＯＰＣ領域の配列と同じ形態にすれば、記録管理側面で、便利にディスクを使用することができる。
【００２９】
図２ないし図１０は、ＢＤ（blu-ray  disc）−Ｒ（recordable）／ＢＤ−ＲＥ（rewritable）３２ＧＢ／Ｌまたは３３ＧＢ／ＬのＴＬ（triple  layer）ディスクまたはＱＬ（quadruple  layer）ディスクの内周側領域の構造を示している。ディスク表面、すなわち、Ｌ３に行くほど高層であり、Ｌ０に行くほど低層になる。高層に割り当てられたＯＰＣ領域の同一半径にある低層の領域は、いずれも予約領域（reserved）になっている。
【００３０】
図面で括弧内の数字は、当該領域のサイズを示し、必要な部分にのみ図面符号を表示した。
【００３１】
図２は、ＢＤ−Ｒ  ＴＬ／ＱＬ（３２ＧＢ／Ｌまたは３３ＧＢ／Ｌ）のディスク・レイアウトの第１例である。図２を参照するに、Ｌ０ないしＬ３に、それぞれＯＰＣ領域０  ２０１、ＯＰＣ領域１２０２、ＯＰＣ領域２  ２０３、ＯＰＣ領域３  ２０４が配列されており、各層間偏心を考慮して、隣接した層のＯＰＣ領域が、半径方向にオーバーラップされないように、バッファ領域０  ２１１、バッファ領域１  ２１２、バッファ領域２  ２１３が配列される。高層に割り当てられたＯＰＣ領域の同一半径にある低層の領域は、いずれも予約領域２２１，２２２，２２３として予約（reserved）されている。例えば、Ｌ３に割り当てられたＯＰＣ領域３  ２０４の同一半径にある低層、すなわち、Ｌ１とＬ２との領域２２３は、いずれもreservedされている。このとき、Ｌ０にある永久情報及び制御データ（ＰＩＣ：permanent  information  and  control  data））領域２３１は除外されるが、ＰＩＣ領域２３１は、ウォブル・グルーブ（wobbled  groove）された領域と異なり、ＨＦＭ（high  frequency  modulated）grooveになっており、上層にＯＰＣ領域が存在しても、その影響は無視できるのである。
【００３２】
それ以外に、情報記録媒体の記録／再生管理のために、臨時ディスク管理領域（ＴＤＭＡ：temporary  disc  management  area）２４１，２４２，２４３，２４４、欠陥管理領域（ＤＭＡ：defect  management  area）、物理制御領域（ＰＡＣ：physical  access  control）、ドライブ領域（drive  area）、コントロールデータ領域（control  data  area）が割り当てられている。
【００３３】
図２でＴＤＭＡは、各層Ｌ０からＬ３までそれぞれＴＤＭＡ０からＴＤＭＡ３が配列されるが、ＴＤＭＡ０ないしＴＤＭＡ３  ２４１，２４２，２４３，２４４は、Ｌ０ないしＬ３で、ＯＰＣ領域が割り当てられた区間を妨害しない範囲内で、割り当てられている。すなわち、ＴＤＭＡ０ないしＴＤＭＡ３は、内周側から外周側に最も外側に配列されたＯＰＣ領域０  ２０１よりもさらに外側にのみ配列されている。このような構造は、ＴＤＭＡの配列がＯＰＣ領域に影響を与えずに別途の空間に配列されているためにシンプルであり、ＯＰＣ領域使用と関連して安全であるが、ＴＤＭＡは、ＯＰＣ領域に影響を与えずに別途に配列される構造であるために、リードイン領域にそれだけ容量がさらに多く必要になる。
【００３４】
ＯＰＣ領域、臨時ディスク管理領域（ＴＤＭＡ）、欠陥管理領域（ＤＭＡ）、物理制御領域（ＰＡＣ）、ドライブ領域（drive area）、コントロールデータ領域（control  data area）が、半径２２．５１２ｍｍから割り当てられるとするとき、データ領域の開始は、記録線密度；ディスク管理（disc  management）のために割り当てられたＯＰＣ  area、buffer  zone、ＴＤＭＡ、ＩＮＦＯ１＆２領域の大きさ；によって決定される。
【００３５】
結局、データ領域の開始半径ｒは、下記数式を満足するように決定される。
【００３６】
π＊（ｒ＾２−ｙ＾２）＝“Channel  bit＃  ｏｆ  ＲＵＢ”＊“＃  ｏｆ  ＲＵＢｓ  in  betweenｙ  and  ｒ”＊“Track  Pitch”＊“Channel  bit  length”
ここで、π＝３．１４１５９２、ｙ＝ＰＩＣ  start半径、“＃  ｏｆ  ＲＵＢｓ  in  between  ｙ  and  ｒ”＝Wobbled Grooveによって構成された場合の＃  ｏｆ  ＲＵＢｓをいう。
【００３７】
データ領域の開始は、ＯＰＣ領域の大きさ、ＴＤＭＡの大きさ、バッファ領域の大きさ、ＩＮＦＯ zoneの大きさによって決定される（ＲＵＢ（recording unit block）の個数も、大きさの一種である）。
【００３８】
図２のＯＰＣ領域０ ２０１は、同じ層Ｌ０で、隣接領域が他の領域として使用されている。すなわち、ＯＰＣ領域０の内周側に隣接した領域は、バッファ領域０であるが、外周側に隣接した領域は、ＩＮＦＯ２領域である。このように、ＯＰＣ領域の隣接領域が使われる場合、すなわち、隣接領域が所定データ保存のために使用われる場合、当該ＯＰＣ領域で、過大なパワーでテストするとき、同一層の隣接領域が損傷される可能性が高い。これによって、少なくとも２track（track
pitchが０．３２μｍであるから、beam中心から０．６４μｍ）以上、バッファ領域を設けることが望ましいが、線密度を考慮して、適した記録単位ブロック数を、ＯＰＣ領域内の開始及び／または終了のところや、ＯＰＣ領域に隣接した隣接領域の内部にバッファ（buffer）領域を設けることが望ましい。３２ＧＢまたは３３ＧＢである場合、半径２２．５〜２４．５ｍｍ間で、blu-ray  disc  recording  unit  block（１９３２＊４９８  channel  bits）には、１track当たり２．６〜２．８ＲＵＢが入るので、少なくとも６ＲＵＢ以上をbuffer領域としておくことが望ましい。
【００３９】
図３は、ＢＤ−Ｒ  ＴＬ／ＱＬ（３２ＧＢ／Ｌまたは３３ＧＢ／Ｌ）のディスク・レイアウトの第２例である。
【００４０】
図３で、ＯＰＣ領域の配列は、図２の第２例と同一である。ただし、ＴＤＭＡの配列が異なる。図３で、図２の構成と比較して配列が異なったＴＤＭＡについて陰影で表示した。図２では、ＴＤＭＡの配列がＯＰＣ領域が配列された区間と別途の区間に配列されたが、図３では、各層の各ＴＤＭＡが、当該層のＯＰＣ領域とは、バッファ領域を挟んで配列される。従って、例えば、ＯＰＣ２  ２０３を基準としたとき、ＯＰＯ２  ２０３より低層の領域２２２はreservedされているが、ＯＰＣ領域２  ２０３より高層であるＬ３には、ＴＤＭＡ３  ２４４が配列される。このような配列が可能である理由は、高層から入射された光ビームは、ターゲット層より低層にさらに影響を多く与えるというところに起因する。すなわち、Ｌ２にあるＯＰＣ領域２  ２０３にテスト記録を行う場合、そのテスト記録のための光ビームの影響は、Ｌ１には影響を多く与えるが、Ｌ３には影響を多く与えないというのである。従って、影響を多く受けないＬ３に、ＴＤＭＡ３  ２４４を配列したのである。
【００４１】
このように配列することによって、リードイン領域に要する容量を節約できるのである。
【００４２】
図４は、ＢＤ−Ｒ  ＴＬ／ＱＬ（３２ＧＢ／Ｌまたは３３ＧＢ／Ｌ）のディスク・レイアウトの第３例である。図４のレイアウトは、図３のレイアウトと同一であるが、ただし、ＴＤＭＡ２  ２４３とＴＤＭＡ３  ２４４との配列が図３と異なる。Ｌ０の場合、反射膜（heat  sink）があって熱伝逹が一方になり、Ｌ１の対応する領域にＴＤＭＡ１  ２４２があっても問題がないが、Ｌ１以上の場合には、熱伝逹が双方向になり、ＯＰＣとＴＤＭＡとを隣接させないように配列した形態である。
【００４３】
図５は、ＢＤ−Ｒ  ＴＬ／ＱＬ（３２ＧＢ／Ｌまたは３３ＧＢ／Ｌ）のディスク・レイアウトの第４例である。図５のレイアウトは、図３のレイアウトと同一であるが、ただし、ＴＤＭＡ０  ２４１とＴＤＭＡ１  ２４２との大きさが異なる。既存のディスク規格、すなわち、データ領域を、半径２４．０から始まる規格に互換させるために、ＴＤＭＡ０  ２４１の大きさを１０２４バイトに減らし、代わりにＴＤＭＡ０が減った分ほどＴＤＭＡ１  ２４２の大きさを３０７２バイトに大きくした形態である。図５に実際に表示された例は、３２ＧＢ／Ｌである場合であり、３２ＧＢ／Ｌでは、バッファ領域０，１，２にβ値が追加されるが、β値は、加えられるＲＵＢの個数を示す。
【００４４】
図６は、ＢＤ−Ｒ  ＴＬ／ＱＬ（３２ＧＢ／Ｌまたは３３ＧＢ／Ｌ）のディスク・レイアウトの第５例である。
【００４５】
図６のレイアウトは、図５のレイアウトと同一であるが、ただし、ＴＤＭＡ２  ２４３とＴＤＭＡ３  ２４４との配列が異なる。前述のように、Ｌ０の場合、反射膜があって熱伝逹が一方になり、Ｌ１の対応する領域にＴＤＭＡ１があっても問題がないが、Ｌ１以上の場合には、熱伝逹が双方向になり、ＯＰＣとＴＤＭＡとを隣接させないために配列した形態である。
【００４６】
図７は、ＢＤ−Ｒ  ＴＬ（３２ＧＢ／Ｌまたは３３ＧＢ／Ｌ）のディスク・レイアウトの第１例である。図７のレイアウトは図３のレイアウトと同一であり、ただし、図７の場合、３層であるために、Ｌ３の配列がないところが図３と異なる。
【００４７】
図８は、ＢＤ−Ｒ  ＴＬ（３２ＧＢ／Ｌまたは３３ＧＢ／Ｌ）のディスク・レイアウトの第２例である。図８のレイアウトは、図７のレイアウトと同一であるが、ただし、ＴＤＭＡ２  ２４３の配列が異なる。前述のように、Ｌ０の場合、反射膜があって熱伝逹が一方になり、Ｌ１の対応する領域にＴＤＭＡ１があっても問題がないが、Ｌ１以上の場合には、熱伝逹が双方向になり、ＯＰＣとＴＤＭＡとを隣接させないために配列した形態である。ＯＰＣ１とＯＰＣ２との配列も、図７のレイアウトと異なる。
【００４８】
図９は、ＢＤ−ＲＥ  ＴＬ／ＱＬ（３２ＧＢ／Ｌまたは３３ＧＢ／Ｌ）のディスク・レイアウトの第１例である。
【００４９】
ＢＤ−Ｒ（blu-ray  disc  recordable）は、書き換えが不可能であり、一度だけ記録することができるディスクであり、ＢＤ−ＲＥ（blu-ray  rewritable）は、書き換えが可能なディスクである。ＴＤＭＡは、追記型ディスクで、ディスク記録再生管理のための情報を臨時的に記録しておくための領域であるために、書き換え型ディスクであるＢＤ−ＲＥでは、かようなＴＤＭＡが不要である。
【００５０】
従って、図９のディスク・レイアウトは、図２ないし図６のディスク・レイアウトと類似しているが、ただし、ＴＤＭＡ領域が存在せず、また、ＰＩＣ領域９２１がＬ１にも配列されているところが異なる。ＢＤ−ＲＥ  ＤＬ（dual  layer）にはバッファがない。ＲＥでは、ディスク特性上、事実上不要であるが、ＢＤ−ＲＥ  ＴＬでは、Ｒ  ＴＬと同一構造を有しているために、Ｒ  ＴＬのバッファ領域を、ＲＥ  ＴＬでは、予約領域（reserved）として設けている。
【００５１】
図１０は、ＢＤ−ＲＥ  ＴＬ／ＱＬ（３２ＧＢ／Ｌまたは３３ＧＢ／Ｌ）のディスク・レイアウトの第２例である。図１０のレイアウトは、図９のレイアウトと同一であるが、ただし、ＯＰＣ０、ＯＰＣ１、ＯＰＣ２及びＯＰＣ３の配列が異なる。
【００５２】
かような図２ないし図１０のレイアウトで、各領域のサイズは変わりうることは、いうまでもない。図２ないし図１０の例で、ＯＰＣ領域の大きさは、２０４８バイト、ＴＤＭＡの大きさも２０４８バイトと主になっているが、かような領域の大きさは、ディスクの全体容量によって変わりうることは、いうまでもない。
【００５３】
追記型情報記録媒体の記録層の数が増加することによって、媒体の欠陥管理、ＬＯＷ（logical  overwrite）管理、記録管理などのために、ディスク管理領域が多く必要になるが、一度だけ記録することができて書き換えが不可能であるという追記型情報記録媒体の特性によって、かようなディスク管理領域は、情報記録媒体を使用する時間などを考慮して、十分に割り当てられなければならない。以下では、多層情報記録媒体でのディスク管理領域を効率的に利用できる方法について説明する。
【００５４】
まず、用語を整理する。
【００５５】
論理的オーバーライト（ＬＯＷ：logical  overwrite）：追記型情報記録媒体で、論理的な書き換えを可能にする方法であり、一例として、欠陥管理のような線形置換方法を利用して、ＬＯＷを可能にすることができる。例えば、アドレスＡに記録されたデータＡを、データＡ’にアップデートするために、データＡ’をデータが記録されていない領域のアドレスＢに記録し、アドレスＡのデータＡは、あたかも欠陥であるかのように取り扱い、アドレスＡとアドレスＢとのマッピング情報を生成して管理することによって、あたかも追記型情報記録媒体で、データのアップデートを行うことができるように遂行することである。
【００５６】
記録管理（recording  management）：ユーザ領域にデータを記録する方式に係わるものであり、使用順序の制約なしに、所望のところに記録するランダムレコーディング（random  recording）方式と、ユーザ領域を、少なくとも一つ以上の領域に分割し、分割されたそれぞれの領域で、始めから連続的に使用するシーケンシャル・レコーディング（sequential  recording）方式とがある。
【００５７】
臨時ディスク（欠陥）管理領域（ＲＤＭＡ：temporary  disc(or  defect)management  area）：欠陥管理、ＬＯＷ管理、記録管理のために必要な情報の少なくとも一つが記録される領域をいう。
【００５８】
臨時ディスク（欠陥）管理構造（ＴＤＭＳ：temporary  disc(or  defect)management  structure）：欠陥管理のための臨時ディスク定義構造（ＴＤＤＳ）情報、臨時欠陥リスト（ＴＤＦＬ）情報を含み、さらに記録管理のための情報として、記録方式によって、シーケンシャルレコーディング・レンジ（ＳＲＲＩ）またはスペースビットマップ（ＳＢＭ）を含む。
【００５９】
臨時ディスク定義構造（ＴＤＤＳ：temporary  disc  definition  structure）：ディスク管理のための基本的な情報を管理する情報であり、臨時欠陥リスト（ＴＤＦＬ）ポインタ、ＳＲＲＩポインタ、ＳＢＭポインタなどを含む。
【００６０】
臨時欠陥リスト（ＴＤＦＬ：temporary  defect  list）：欠陥情報、欠陥による代替情報、ＬＯＷによる代替情報などを管理する情報をいう。欠陥情報は、欠陥データの位置情報を示し、代替情報は、欠陥データを代替する代替データの位置情報を示す。
【００６１】
スペースビットマップ（ＳＢＭ：space  bitmap）：ディスク全体またはユーザ領域の記録有無状態を管理する情報であり、ランダムレコーディング方式のための記録管理情報である。スペースビットマップは、例えば、ユーザ領域を所定単位のセクタ単位に分け、各セクタごとにビットを割り当て、当該セクタが記録されているか否かを示す。すなわち、当該セクタにデータが記録されていれば、ビットを１に設定し、当該セクタにデータが記録されていなければ、ビットを０に設定する方式を利用することができる。
【００６２】
シーケンシャルレコーディング・レンジ情報（ＳＲＲＩ：sequential  recording  range  information）：ディスク全体またはユーザ領域が、少なくとも一つ以上の領域に分割されとき、それぞれの分割された領域の記録可能いかん状態と記録状態とを管理する情報であり、シーケンシャルレコーディング方式のための記録管理情報である。
【００６３】
ＴＤＭＳアップデート・ユニット（ＴＤＭＳ  update  unit）：ＴＤＭＳは、臨時ディスク（欠陥）管理領域（ＴＤＭＡ）に記録される情報であり、欠陥管理、ＬＯＷ管理、記録管理のために複数の情報項目を含む。
【００６４】
ＴＤＭＳのある情報項目がアップデートされれば、ＴＤＭＳを構成する情報全体をＴＤＭＡに記録するよりは、アップデートされた必要な情報項目だけを記録することがさらに効率的である。かような側面から、ＴＤＭＳアップデートユニットは、かような状況を考慮して、アップデートされた情報が記録される順序や配置などを考慮して、ＴＤＭＳ情報の全体または一部が記録される単位をいうのであるが、ＴＤＤＳを含む。
【００６５】
次に、図１１ないし図１３のディスク・レイアウトについて説明する。
【００６６】
図１１は、３層からなるＢＤ−Ｒ媒体の内周領域のレイアウト１１００を示している。図１１を参照するに、ＴＤＭＡ０  １１１０、ＴＤＭＡ１  １１２０、ＴＤＭＡ２  １１３０、ＴＤＭ３  １１４０が配列されている。Ｌ０に配列されたＴＤＭＡ０  １１１０は、２０４８バイトであり、Ｌ１に配列されたＴＤＭＡ１  １１２０は、４０９６バイトであり、Ｌ２に配列されたＴＤＭＡ２  １１３０、ＴＤＭ３  １１４０は、それぞれ２０４８バイト、４０９６バイトであって、合わせれば、６１４４バイトとなる。
【００６７】
このように、本発明によれば、ＴＤＭＡサイズを高層に行くほど（すなわち、Ｌ２に行くほど）増加させて割り当てることが望ましい。本明細書で高層というのは、Ｌ２側、すなわち、光ビームが入射される側に近い記録層をいい、低層というのは、高層とは反対側にある方向、すなわち、光ビームが入射される側から遠くにある記録層をいう。図１１に図示されたレイアウトは、本発明による一例であるのみ、本発明がこれに制限されるものではない。本発明によれば、ＴＤＭＡサイズを高層に行くほど増加させて割り当てさえすれば、低層には、ＴＤＭＡが割り当てなくともよいこともある。すなわち、あらゆる記録層に、いずれもそれぞれＴＤＭＡを配列しなければならないというものでもない。また、図１１のレイアウトで、Ｌ０にＴＤＭＡ０が２０４８バイト割り当てられているが、それより小容量に割り当てられることもある。
【００６８】
ＴＤＭＡサイズを高層に行くほど（すなわち、Ｌ２に行くほど）増加させて割り当てることが望ましい理由は、次の通りである。
【００６９】
図２ないし図１０を参照して説明した通り、複数の記録層を含む情報記録媒体で、各記録層ごとにＯＰＣ領域が必要であり、また層間偏心を考慮して、バッファ領域も設けられる。また、既存の規格による媒体との互換性を考慮して、データ領域の開始位置を変更させない範囲内で、すなわち、既存の規格で割り当てられたリードイン領域の容量内で、ＴＤＭＡを割り当てることが望ましい。一方、高層から入射された光ビームは、ターゲット層より低層にさらに影響を多く与える。すなわち、例えば、Ｌ１にあるＯＰＣ領域１にテスト記録を行う場合、そのテスト記録のための光ビームの影響は、Ｌ０には影響を多く与えるが、Ｌ２には影響を多く与えないというのである。従って、影響を多く受けないＬ２に、ＴＤＭＡを配列することを考慮することができる。
【００７０】
言い換えれば、決められたリードイン領域の容量内で、ＴＤＭＡの割り当てを考慮しなければならないが、ＯＰＣ領域にテスト記録を行うときのその低層では、光ビームの影響を多く受けるために、ＯＰＣ領域が配列された所定記録層より下にある低層の同一半径領域には、ＴＤＭＡを配列することが望ましくない。そして、ＯＰＣ領域にテスト記録を行うときのその高層では、光ビームの影響をあまり受けないために、そのＯＰＣ領域が配列された所定記録層の上にある高層の同一半径領域には、ＴＤＭＡを配列することが可能である。従って結局は、高層にＴＤＭＡをさらに多く割り当てることが望ましくい。このように配列することによって、リードイン領域に要する容量を節約しつつ、ＴＤＭＡを割り当てることが可能である。
【００７１】
また、ＴＤＭＡに記録されるＴＤＦＬのサイズは、層当たり最大４クラスタ（cluster）までであるが、ディスクを使用しつつその大きさがだんだんと大きくなる。それによって、３層の場合、最大１２クラスタになり、高層に行くほどＴＤＭＡ領域をさらに多く必要とする。
【００７２】
ＴＤＭＡの使用優先順位は、内周側に割り当てられたＴＤＭＡがまず使用された後、データ領域に割り当てられたＴＤＭＡが使われる。そして、内周側に割り当てられたＴＤＭＡ（あるいはデータ領域に割り当てられたＴＤＭＡ）のうちからは、低層から高層に、そしてトラッキング方向に使われる。
【００７３】
図１２は、３層からなるＢＤ−Ｒ／ＲＥ媒体のデータ領域でのスペア領域の割り当てを示している。図１２を参照するに、Ｌ０に、インナースペア領域（ＩＳＡ：inner  spare  area）１２１０と、ミドルスペア領域（middle  spear  area）０  １２２０とが設けられ、Ｌ１に、ミドルスペア領域１  １２３０と、ミドルスペア領域２  １２４０とが設けられ、Ｌ２に、ミドルスペア領域３  １２５０とアウタースペア領域（outer  spare  area）１２６０とが設けられる。Ｌ０でトラッキング方向は、インナースペア領域１２１０側からミドルスペア領域０  １２２０側であり、Ｌ１でトラッキング方向は、ミドルスペア領域１  １２３０からミドルスペア領域２  １２４０に向かう。Ｌ２で、トラッキング方向は、ミドルスペア領域３  １２５０からアウタースペア領域１２６０に向かう。
【００７４】
インナースペア領域（ＩＳＡ）は、固定されたサイズ（fixed  size）であって、２０４８クラスタまたは４０９６クラスタでもって割り当てられ、ミドルスペア領域（ＭＳＡ０〜３）は、その大きさが可変的に割り当てられるが、割り当てられた大きさは、いずれも同一でありうる。アウタースペア領域（ＯＳＡ）は、最高層のデータ領域の末端に割り当てられ、これもまた可変的である。あらゆるスペア領域は、媒体の初期化時に割り当てられる。ＢＤ−Ｒの場合、スペア領域の使用方向は、トラッキング方向と同一であるが、ＢＤ−ＲＥの場合、トラッキング方向と反対に使用され、アウタースペア領域（ＯＳＡ）は、拡張可能である。
【００７５】
図１３は、３層ＢＤ−Ｒ媒体で、スペア領域内でのＴＤＭＡの割り当てを示すレイアウトである。図１３を参照するに、ＩＳＡ  １２１０に、ＴＤＭＡ４  １３１０が、ＭＳＡ０  １２２０に、ＴＤＭＡ５  １３２０が、ＭＳＡ２  １２４０に、ＴＤＭＡ７  １３４０が、ＭＳＡ１  １２３０に、ＴＤＭＡ６  １３３０が、ＭＳＡ３  １２５０に、ＴＤＭＡ８  １３５０が、ＯＳＡ  １２６０に、ＴＤＭＡ９  １３６０が配列されている。
【００７６】
割り当てられたそれぞれのスペア領域には、ＴＤＭＡが可変的である大きさに割り当てられる。これもまた、初期化時に割り当てられる。ＭＳＡ０〜３に割り当てられたＴＤＭＡは、その大きさがいずれも同じでありうる。それぞれのＴＤＭＡの使用方向は、トラッキング方向と同一であり、またデータ領域内にあるＴＤＭＡは、順次にトラッキング方向に使われる。ディスク内周側に割り当てられたＴＤＭＡ領域がいずれも使われた後、データ領域内にあるＴＤＭＡが順次にトラッキング方向に使われる。
【００７７】
次に、図１４及び図１５のディスク・レイアウトについて説明する。
【００７８】
図１４は、４層からなるＢＤ−Ｒ媒体の内周領域のレイアウト１４００を示している。図１４を参照するに、ＴＤＭＡ０  １４１０、ＴＤＭＡ１  １４２０、ＴＤＭＡ２  １４３０、ＴＤＭＡ３  １４４０、ＴＤＭＡ４  １４５０、ＴＤＭＡ５  １４６０、ＴＤＭＡ６  １４７０が配列されている。ＴＤＭＡサイズは、高層に行くほど（すなわち、Ｌ３に行くほど）増加する。ＴＤＦＬサイズは、層当たり最大４クラスタまでであり、ディスクを使用しつつ、その大きさがだんだんと大きくなる。これによって、４層の場合、最大１６クラスタになり、高層に行くほどＴＤＭＡ領域をさらに多く必要とする。
【００７９】
ＴＤＭＡの使用優先順位は、内周側に割り当てられたＴＤＭＡをまず使用した後、データ領域に割り当てられたＴＤＭＡが使われる。そして、内周側に割り当てられたＴＤＭＡ（あるいはデータ領域に割り当てられたＴＤＭＡ）は、低層から高層に、そしてトラッキング方向に使われる。
【００８０】
図１５は、４層からなるＢＤ−Ｒ／ＲＥ媒体のデータ領域でのスペア領域の割り当てを示している。図１５を参照するに、Ｌ０に、インナースペア領域１５１０とミドルスペア領域０  １５２０とが設けられ、Ｌ１に、ミドルスペア領域１  １５３０とミドルスペア領域２  １５４０とが設けられ、Ｌ２に、ミドルスペア領域３  １５５０とミドルスペア領域４  １５６０とが設けられ、Ｌ３に、ミドルスペア領域５  １５７０とアウタースペア領域１５８０とが設けられる。Ｌ０でトラッキング方向は、インナースペア領域１５１０からミドルスペア領域２  １５２０に、Ｌ１でトラッキング方向は、ミドルスペア領域１  １５３０からミドルスペア領域２  １５４０に向かう。Ｌ２でトラッキング方向は、ミドルスペア領域３  １５５０からミドルスペア領域４  １５６０に向かう。Ｌ３でトラッキング方向は、ミドルスペア領域５  １５７０からアウタースペア領域１５８０に向かう。
【００８１】
インナースペア領域（ＩＳＡ）は、固定されたサイズであって、２０４８あるいは４０９６クラスタでもって割り当てられ、ミドルスペア領域（ＭＳＡ０〜５）は、その大きさが可変的に割り当てられるが、割り当てられた大きさは、いずれも同一でありえる。アウタースペア領域（ＯＳＡ）は、最高層のデータ領域の末端に割り当てられ、これもまた可変的である。あらゆるスペア領域は、初期化時に割り当てられる。ＢＤ−Ｒの場合、スペア領域の使用方向は、トラッキング方向と同一であるが、ＢＤ−ＲＥの場合、トラッキング方向と反対に使用され、アウタースペア領域（ＯＳＡ）は、拡張可能である。
【００８２】
図１６は、４層ＢＤ−Ｒ媒体で、スペア領域内でのＴＤＭＡの割り当てを示すレイアウトである。図１６を参照するに、ＩＳＡ  １５１０に、ＴＤＭＡ７  １６１０が、ＭＳＡ０  １５２０に、ＴＤＭＡ８  １６２０が、ＭＳＡ２  １５４０に、ＴＤＭＡ１  １６４０が、ＭＳＡ１  １５３０に、ＴＤＭＡ９  １６３０が、ＭＳＡ３  １５５０に、ＴＤＭＡ１１  １６５０が、ＭＳＡ４  １５６０に、ＴＤＭＡ１２  １６６０が、ＭＳＡ５  １５７０に、ＴＤＭＡ１３  １６７０が、ＯＳＡ  １５８０に、ＴＤＭＡ１４  １６８０が配列されている。
【００８３】
割り当てられたそれぞれのスペア領域には、ＴＤＭＡが可変的な大きさで割り当てられる。これもまた、初期化時に割り当てられる。ＭＳＡ０〜５に割り当てられたＴＤＭＡは、その大きさがいずれも同じでありうる。それぞれのＴＤＭＡの使用方向は、トラッキング方向と同一であり、またデータ領域内にあるＴＤＭＡは、順次にトラッキング方向に使われる。ディスク内周側に割り当てられたＴＤＭＡ領域がいずれも使われた後、データ領域内にあるＴＤＭＡが、順次にトラッキング方向に使われる。
【００８４】
さて、ＴＤＭＡについて具体的に説明する。
【００８５】
図１７及び図１８は、多層情報記録媒体の内周側に配列されたＴＤＭＡ０に割り当てられたＴＤＭＡ  ＡＩＡを示している。
【００８６】
図１７は、図１１ないし図１３に図示されたディスク構造でのＴＤＭＡ  ＡＩＡを示し、図１８は、図１４ないし図１６に図示されたディスク構造でのＴＤＭＡ  ＡＩＡを示している。
【００８７】
ディスクのレイヤ０の内周側に割り当てられたＴＤＭＡ０で、先頭クラスタは、ＴＤＭＡアクセス情報領域（ＴＤＭＡ  access  information  area）として使われる。ＴＤＭＡアクセス情報領域には、全体ディスク上に割り当てられたＴＤＭＡの個数ほどクラスタが割り当てられ、それぞれのクラスタに、１つのＴＤＭＡが対応し、対応するＴＤＭＡが使われる時点で、ＴＤＭＡ  ＡＩＡの当該クラスタには、ＴＤＤＳが記録されるが、信頼性（robustness）のために、例えば、３２回反復されて記録される。
【００８８】
図１１ないし図１３でのように、ディスクにＴＤＭＡ０からＴＤＭＡ９が割り当てられるとすれば、図１７でのように、ＴＤＭＡ  ＡＩＡ  １７００には、ＴＤＭＡ１からＴＤＭＡ９までに対応するクラスタが割り当てられ、ＤＭＡに対応するクラスタが割り当てられる。
【００８９】
図１４ないし図１６でのように、ディスクに、ＴＤＭＡ０からＴＤＭＡ１４まで割り当てられるとすれば、図１８でのように、ＴＤＭＡ  ＡＩＡ  １８００には、ＴＤＭＡ１からＴＤＭＡ１４及びＤＭＡに対応するクラスタが割り当てられる。
【００９０】
すなわち、図１８のＴＤＭＡ０の最初の１５クラスタは、ＴＤＭＡ  ＡＩＡ  １８００として使われるが、ＴＤＭＡ０の使用中には、ＴＤＭＡ  ＡＩＡ  １８００は、未記録状態であって、ＴＤＭＡｎ（ｎ＝１，２，…，１４）が使われる時点で、ＴＤＭＡ  ＡＩＡ  １８００の（１５−ｎ＋１）番目のクラスタに、そのときのＴＤＤＳが３２回反復して記録される。例えば、ＴＤＭＡ１が使われていれば、１５番目のクラスタ１８１０に、その時点でのＴＤＤＳが３２回反復して記録される。すなわち、ＴＤＭＡ  ＡＩＡが未記録状態であるならば、ＴＤＭＡ０が使用中であるということが分かる。すなわち、ＴＤＭＡ  ＡＩＡのクラスタの記録状態によって、現在使用中であるＴＤＭＡを知ることができ、記録されているＴＤＤＳ情報から、ＴＤＭＡの位置または区間情報を把握することができる。ＴＤＭＡ  ＡＩＡの最初のクラスタ１８２０が記録されているならば、すなわち、ＤＭＡに対応するクラスタにデータが記録されているならば、ディスクが最終化されたということが分かる。ディスクの最終化時に最終的なＴＤＭＳ情報は、そのほとんどの情報がＤＭＡにコピーされるが、必要によっては、ＴＤＤＳ内にあるＴＤＦＬ（temporary  defect  list）の位置情報は変更される。これは、ＴＤＤＳに、データ領域に割り当てられたＴＤＭＡの位置情報を知ることができる情報が保存されているので、媒体が最終化されれば、最終化時のＴＤＭＡのＴＤＦＬがＤＭＡに記録されるので、敢えてＴＤＭＡを探さずにＤＭＡを見つければいいために、ＤＭＡでの位置情報に変更することが望ましいためである。データ領域の開始位置情報と終了位置情報とが、ディスク上に保存されており、データ領域内に割り当てられるＴＤＭＡは、図１３及び図１６でのように、データ領域の開始部分または終了部分に割り当てられ、ＴＤＤＳには、データ領域内に割り当てられたＴＤＭＡの大きさ情報がある。このようにすることにより、ディスクがドライブにローディングされたとき、最も最近（the  latest）のＴＤＤＳが記録されたＴＤＭＡが、ディスク上でどこに存在するかをＴＤＭＡ  ＡＩＡから知ることができる。
【００９１】
図１７及び図１８で、ＴＤＭＡは順次に使われ、ＴＤＭＡ  ＡＩＡは、ＴＤＭＡ０と反対側に使われる。すなわち、ＴＤＭＡ０は、トラッキング方向に記録され、ＴＤＭＡ  ＡＩＡは、トラッキング方向と反対に使われる。具体的には、図１７で、ＴＤＭＡ０  １１１０で、ＴＤＭＡ  ＡＩＡ  １７００に該当する１０番目のクラスタ以後、すなわち、ＴＤＭＡ１に対応するクラスタ１７１０以後の時点からは、トラッキング方向に使われる。ＴＤＭＡ  ＡＩＡ  １７００内では、トラッキング方向と反対側に使われ、ＴＤＭＡ１に対応するクラスタ１７１０から使われる。
【００９２】
ＴＤＭＳとＴＤＭＳアップデートユニットとについて説明する。
【００９３】
記録単位ブロックの大きさ６４ＫＢである場合において、ＴＤＭＳとＴＤＭＳアップデート・ユニットとのサイズの例は次の通りである。
【００９４】
−ＴＤＤＳ  size＝２ＫＢ＝１セクタ
−ＴＤＦＬ  size＝最大４クラスタ／レイヤ（すなわち、３層構造では最大１２クラスタ、４層構造では最大１６クラスタ）
−ＳＲＲＩ  size＝最大６２ＫＢ＝最大３１セクタ
−ＳＢＭｎ  size＝６２ＫＢ＝３１セクタ（ｎ＝０，１，２，…；“記録層数”−１）
ＴＤＦＬとＳＲＲＩとの大きさは、ディスク使用中に可変サイズ（variable  size）として運用される。しかし、最終化時にＤＭＡに記録されるときは、ＳＲＲＩは、３１セクタ、ＴＤＦＬは、ＢＤ−ＲＥのＤＦＬと同一大きさであり、その大きさが固定（例えば、１２クラスタ）される。大きさを固定するときに残る部分のデータは、００ｈのようなデータで充填する。
【００９５】
ＴＤＭＳアップデート・ユニットには、前述のように、ＴＤＦＬ、ＳＲＲＩ、ＳＢＭなどが含まれうる。ＴＤＭＳアップデート・ユニットの構造の例が、図１９に図示されている。
【００９６】
図１９の（ａ）、（ｂ）、（ｃ）は、シーケンシャルレコーディング・モードでの例であり、図１９の（ｄ）は、ランダムレコーディング・モードでの例である。
【００９７】
図１９の（ａ）は、ＴＤＭＳアップデート・ユニットが、ＴＤＦＬとＴＤＤＳとを含む構造１９１０を示している。具体的には、ＴＤＭＳアップデート・ユニットは、ＴＤＦＬヘッダ１９１１、ＮセクタのＴＤＦＬ１９１２、１セクタのＴＤＤＳ  １９１３を含み、充填されていない残りの部分は、００  １９１４に設定される。
【００９８】
図１９の（ｂ）は、ＴＤＭＳアップデート・ユニットが、ＳＲＲＩとＴＤＤＳとを含む構造１９２０を示している。具体的には、ＴＤＭＳアップデート・ユニットは、ＳＲＲＩヘッダ１９２１、ＭセクタのＳＲＲＩ  １９２２、１セクタのＴＤＤＳ  １９２３を含み、充填されていない残り部分は、００
１９２４に設定される。
【００９９】
図１９の（ｃ）は、ＴＤＭＳアップデート・ユニットが、ＴＤＦＬ、ＳＲＲＩ及びＴＤＤＳを含む構造１９３０を示している。具体的には、ＴＤＭＳアップデート・ユニットは、ＴＤＦＬヘッダ１９３１、ＮセクタのＴＤＦＬ  １９３２、ＳＲＲＩヘッダ１９３３、ＭセクタのＳＲＲＩ  １９３４、１セクタのＴＤＤＳ  １９３５を含み、充填されていない残りの部分は、００  １９３６に設定される。
【０１００】
図１９の（ｄ）は、ＴＤＭＳアップデート・ユニットが、ＳＢＭとＴＤＤＳとを含む構造１９４０を示している。具体的には、ＴＤＭＳアップデート・ユニットは、ＳＢＭヘッダ１９４１、３１セクタのＳＢＭ  １９４２、１セクタのＴＤＤＳ  １９４３を含む。
【０１０１】
さて、ＴＤＦＬのサイズによって、ＴＤＭＡの早期消尽（early  exhaustion）を防止する方法について説明する。
【０１０２】
第一の方法について、図２０を参照しつつ説明する。
【０１０３】
第一の方法は、ＴＤＦＬを含むＴＤＭＳアップデート・ユニットが、所定のサイズを超えれば、ＴＤＦＬは、ＴＤＭＳアップデート・ユニットから除外され、別途の空間に記録する方法である。例えば、ＴＤＭＳアップデート・ユニットが、ＴＤＦＬとＴＤＤＳとから構成されるとするとき、ＴＤＦＬを含むＴＤＭＳアップデート・ユニットが、所定サイズ、例えば、１クラスタを超えるまでは、図２０の（ａ）でのように、ＴＤＦＬ  ２０１０とＴＤＤＳ  ２０２０とから構成されたＴＤＭＳアップデート・ユニット２０００を記録する。しかし、ＴＤＦＬのサイズが大きくなって、ＴＤＦＬを含むＴＤＭＳアップデート・ユニットが１クラスタを超えれば、図２０の（ｂ）でのように、ＴＤＭＳアップデート・ユニットからＴＤＦＬを取り出し、ＴＤＦＬ  ２０３０だけ別途の空間に記録する。
【０１０４】
シーケンシャルレコーディング・モードでは、図１９で説明したように、ＴＤＭＳアップデートユニットは、以下の３つの形態で記録される。
【０１０５】
（ａ）ＴＤＦＬ＋ＴＤＤＳ
（ｂ）ＳＲＲＩ＋ＴＤＤＳ
（ｃ）ＴＤＦＬ＋ＳＲＲＩ＋ＴＤＤＳ
（ａ）、（ｃ）の場合に、もしＴＤＭＳアップデート・ユニットを１クラスタとするならば、ＴＤＦＬを含むＴＤＭＳアップデート・ユニットが１クラスタを超える場合、ＴＤＦＬは、ＴＤＭＳアップデート・ユニットから除外され、別途のクラスタによって構成してディスク上に記録される。（ｂ）の場合には、全くＴＤＭＳアップデート・ユニットにＴＤＦＬが含まれないので、本発明が適用される余地はない。
【０１０６】
ランダムレコーディング・モードで、ＴＤＭＳアップデート・ユニットは、下記のようにそれぞれのrecording  layerＳＢＭとＴＤＤＳとの組み合わせでもって、一種の形態に１クラスタで構成され、ＴＤＦＬは、別途のクラスタで構成してディスク上に記録される。
【０１０７】
ＳＢＭｎ＋ＴＤＤＳ
かような第１の方法による場合、最も最近のＴＤＤＳは、常に最も最近のＳＲＲＩポインタ（the  latest  ＳＲＲＩ  pointer）、最も最近のＴＤＦＬポインタ（the  latest  ＴＤＦＬポインタ（pointer  for  each  ＴＤＦ  Ｌcluster））、最も最近のＳＢＭポインタ（the  latest  ＳＢＭｎ  pointer）である。
【０１０８】
３層／４層ディスクの場合、ＴＤＦＬ  sizeは、最大１２／１６クラスタまで可能であるが、一般的に、ディスクを使用すればするほど、ＴＤＦＬサイズは大きくなる。結局、ＴＤＦＬを含むＴＤＭＳアップデート・ユニットが、１クラスタを超える時点が来る。そのときＴＤＦＬは、別途のクラスタで構成し、データ領域のユーザデータ領域に記録し、記録されたＴＤＦＬの位置情報を含む最終的なＴＤＤＳを含むＴＤＭＡアップデート・ユニットをＴＤＭＡに記録する。
【０１０９】
まとめれば、ＴＤＭＡは、アップデート時に、１クラスタのみ使われるのである。ＴＤＦＬの大きさが大きくなり、１クラスタのＴＤＭＡアップデート・ユニットに構成されえない場合、ＴＤＦＬは、ユーザデータ領域に記録され、記録されたＴＤＦＬの位置情報を有する最終的なＴＤＤＳを含むＴＤＭＳアップデート・ユニットの１クラスタが、ＴＤＭＡに記録される。
【０１１０】
このようにすることにより、ＴＤＭＡ内のクラスタ個数ほどＴＤＭＳのアップデートが可能になり、最小限のＴＤＭＡ割り当てだけでも、ディスク使用を長く持続することができる。
【０１１１】
以上の例で、ＴＤＭＳアップデート・ユニットの大きさを１クラスタに制約したのは、制約ではなくして説明のための具体的な一例である。例えば、ＴＤＭＳアップデート・ユニットの最大大きさを、ｎ（２，４，または８など）に一般化させることも可能である。その場合、ＴＤＦＬを含むＴＤＭＳアップデート・ユニットの大きさがｎを超える場合、ＴＤＦＬは、別途のクラスタで構成してデータ領域のユーザデータ領域に記録され、記録されたＴＤＦＬの位置情報を含むＴＤＤＳを含むＴＤＭＳアップデート・ユニットが、当該ＴＤＭＡに記録される。
【０１１２】
第２の方法は、図２１を参照しつつ説明する。
【０１１３】
第２の方法は、ＴＤＦＬの大きさが一定大きさ（例えば、ｎクラスタ）以下のものは、日常的にＴＤＭＡにＴＤＭＳアップデート・ユニットを記録していて、一定大きさを超える時点になれば、既存一定大きさのＴＤＦＬは、ディスク上の所定領域（例えば、データ領域、ＴＤＭＡ、ディスク管理領域）に保管し、その後に発生したＤＦＬ  entryを別途に集めてＴＤＦＬを別途に構成し、ＴＤＭＡアップデート・ユニットのＴＤＭＡに記録する。この場合、保管されたＴＤＦＬの位置情報と、現在ＴＤＦＬの位置情報とがＴＤＤＳに保存されて管理される。
【０１１４】
図２１の（ａ）を参照するに、ＴＤＭＳアップデート・ユニット２１００に含まれるＴＤＦＬ  ２１１０の大きさが、ｎクラスタを超えないときは、ＴＤＭＳアップデート・ユニットに含めて、ＳＲＲＩ  ２１２０及びＴＤＤＳ  ２１３０と共に記録し、ＴＤＦＬの大きさが、ｎクラスタを超えれば、図２１の（ｂ）のように、ｎクラスタほどのＴＤＦＬは、別途の空間にkept  ＴＤＦＬ  ２１１０として保管し、全体ＴＤＦＬのうちｎクラスタほどを除外した残りのＴＤＦＬは、current  ＴＤＦＬ  ２１４０として、ＴＤＭＳアップデート・ユニットに含めて記録する。
【０１１５】
具体的な例として、４層ディスクで、ＴＤＭＳに含めて記録するＴＤＦＬの一定大きさを８クラスタとしたとき、ＴＤＤＳは、kept  ＴＤＦＬを指すkept  ＴＤＦＬポインタ（８pointer）と、current  ＴＤＦＬを指すcurrent  ＴＤＦＬ  ポインタ（８pointer）とを有する。
【０１１６】
ＴＤＦＬの大きさが８クラスタを超えるまでは、kept  ＴＤＦＬポインタは、００ｈに設定され、current  ＴＤＦＬポインタには、実際に記録されたＴＤＦＬのそれぞれのクラスタの位置情報が管理される。その後、ＴＤＦＬの大きさが８クラスタを超える場合、ＴＤＦＬの最初の８クラスタは、使用中であるＴＤＭＡや、データ領域内または別途のディスク管理情報領域（ＤＭＡ、ＴＤＦＬ  keeping  areaなど）に記録して保管し、保管された位置情報は、ＴＤＤＳのkept  ＴＤＦＬポインタとして管理され、残りのＤＦＬ  entryは、別途のＴＤＦＬを構成し、ＴＤＭＳアップデート・ユニットに含まれてＴＤＭＡに記録され、current  ＴＤＦＬポインタとして管理される。
【０１１７】
もし使用中であるＴＤＭＡｍが消尽され、ＴＤＭＡｍ＋１が使われるとき、kept  ＴＤＦＬとcurrent  ＴＤＦＬは、必要によって再構成し、その大きさが８クラスタを超える場合、最初の８クラスタはさらに整理し、kept  ＴＤＦＬポインタとして管理し、残りは、current  ＴＤＦＬポインタとして管理する。すなわち、kept  ＴＤＦＬは、ＴＤＦＬの修正があるたびに修正されるものではなく、一定時点になれば、一度に更新することが望ましい。すなわち、kept  ＴＤＦＬとcurrent  ＴＤＦＬとを運用する構造で、ＴＤＦＬの修正があるとき、kept  ＴＤＦＬは、修正なしにそのままにしておき、current  ＴＤＦＬだけを修正して更新するのである。そしてkept  ＴＤＦＬは、必要によって、所定時点でのみ再構成して修正することが望ましい。
【０１１８】
Kept  ＴＤＦＬを必要によって再構成する場合は、次のような場合がありうる。
【０１１９】
一般的には、ＴＤＦＬのＤＦＬ  entryは、状態情報＋欠陥アドレス＋代替アドレスによって構成される。そして、一定基準によって、例えば、状態情報と欠陥アドレスとによって整列（sorting）して配されるが、最初の８クラスタをkeepした後で発生したＤＦＬ  entry（欠陥またはＬＯＷなどによって追加生成されたentry）は、current  ＴＤＦＬに管理されていて、使用するＴＤＭＡが変わる場合、kept  ＴＤＦＬとcurrent  ＴＤＦＬとを組み合わせれば、その大きさを小さくすることができる。その理由は、すでにＤＦＬ  entryが存在する状況でＬＯＷが生じれば、kept  ＴＤＦＬにあるＤＦＬ  entryは、以前のものであり、current  ＴＤＦＬにあるentryが新規のものであるために、以前のものをなくして新規であるものに交替する作業が必要である。例えば、データＡがデータＢに代替されたことを示すエントリが、kept  ＴＤＦＬに存在する状態で、さらにデータＢがデータＣに代替されたとき、データＢがデータＣに代替されたことを示すエントリが、current  ＴＤＦＬに保存される。このとき、データＡがデータＣに代替されたことを示すエントリだけ維持させても十分であるために、kept  ＴＤＦＬとcurrent  ＴＤＦＬとを整理して再構成すれば、ＴＤＦＬの容量を節約することができる。従って、現在使用中であるＴＤＭＡをいずれも使用し、次のＴＤＭＡを使用するとき、このように、kept  ＴＤＦＬとcurrent  ＴＤＦＬとを一度に整列して整理すれば、ＴＤＦＬ空間を節約することができる。従って、最小限のＴＤＭＡ割り当てで、ディスクを効率的に使用することができる。
【０１２０】
新規entryが発生するたびに、kept  ＴＤＦＬにある以前エントリを直ちにアップデートすれば、kept  ＴＤＦＬをアップデートしなければならないために、ＴＤＭＡを効率的に使用することができない。例えば、ＴＤＦＬの大きさが９クラスタ以上１０クラスタ未満であるとしたとき、最初のＤＦＬ  entryの欠陥アドレスに対応する領域以前の領域に、ＬＯＷが生じたならば、その結果としてＤＦＬ  entryが生じるものであり、このＤＦＬ  entryの欠陥アドレスは、既存ＴＤＦＬの最初のＤＦＬ  entryの欠陥アドレスより小さいので、sortingされるとき、最初のＤＦＬ  entryになり、既存のＤＦＬ  entryは、shiftされるであろう。この場合、新たなアップデートされたＴＤＦＬのそれぞれのクラスタは、既存ＴＤＦＬのクラスタと互いに異なるので、ＴＤＭＡにアップデート時に、あらゆるクラスタ、すなわち、１０クラスタを記録しなければならない。
【０１２１】
第２の方法による場合に、データの再生は、次の通りなされる。
【０１２２】
ホストからデータ再生命令を受信すれば、再生しなければならないデータの物理的セクタ番号（ＰＳＮ：physical  sector  number）が、まずcurrent  ＴＤＦＬのＤＦＬエントリに存在するか否かを確認し、当該ＰＳＮを欠陥アドレスとするＤＦＬエントリがないならば、kept  ＴＤＦＬのＤＦＬエントリでの代替いかんを確認し、kept  ＴＤＦＬに当該ＰＳＮを欠陥アドレスとするＤＦＬエントリがあれば、その当該ＤＦＬエントリに保存された代替アドレスからデータを再生し、kept  ＴＤＦＬのＤＦＬエントリにもなければ、当該ＰＳＮを再生する。もしcurrent  ＴＤＦＬで、ＤＦＬエントリに代替されているならば、current  ＴＤＦＬの前記ＤＦＬエントリによる代替アドレスのデータを再生すればよい。
【０１２３】
さて、情報記録媒体の高密度／多層化に対応して情報フォーマットを処理する方法について説明する。
【０１２４】
本発明の一例によって、情報記録媒体の高密度／多層によって追加／変更される情報フィールド（field）を追加／変更し、情報フォーマット（format）のフォーマット・バージョンナンバを、既存情報フォーマットと区分して設定する。
【０１２５】
また、本発明の一例によって、既存情報フォーマットにある情報フィールドの定義が、情報記録媒体の高密度／多層によって、その意味が追加／変更される場合、情報フィールドの意味を解釈することができるように、情報フィールドの定義を再定義する。
【０１２６】
ディスク＆欠陥管理のための書き換え型情報記録媒体では、ＤＤＳ（disc  definition  structure）、ＤＦＬ（defect  list）、ＰＡＣ（physical  access  control）のフォーマットを有している。
【０１２７】
ＤＤＳフォーマットの場合、スペア領域（spare  area）の割り当て情報、スペア領域フルフラグ（spare  area  full  flag）、status  bits  of  ＰＡＣ情報（ＰＡＣの状態ビット）を含んでいるために、高密度／多層によって必要な情報fieldが追加／変更されたり、情報フィールド（field）の定義が再定義されねばならない。
【０１２８】
ＤＦＬフォーマットの場合、ＤＦＬフォーマットの大きさが多層によって大きくなるので、フォーマットのversion変更のような方法によって変更された大きさのＤＦＬフォーマットを区分することができるものでなければならない。
【０１２９】
ＰＡＣフォーマットの場合、ディスクに割り当てられた各領域（reserved  areaを含む）の記録／再生可能いかんを示す情報を含んでいるために、高密度／多層によってディスクに割り当てられた領域の大きさや位置または用途などの追加／変更によって、フォーマットの情報フィールドが追加／変更されたり、情報フィールドの定義が再定義されねばならない。
【０１３０】
図２２は、書き換え型媒体（ＢＤ−ＲＥ）のＤＤＳフォーマットと、追記型情報記録媒体（ＢＤ−Ｒ）のＴＤＤＳフォーマットとについて説明するための参考図である。図２２を参照するに、シングルレイヤとデュアルレイヤとの従来の（Ｔ）ＤＤＳ（legacy（Ｔ）ＤＤＳ  for  ＳＬ＆ＤＬ）のフォーマットは、ＢＤ−ＲＥ／Ｒ  common  part  ２２００と、ＢＤ−Ｒ  only  part  ２３００とを含む。ＢＤ−ＲＥ／Ｒ  common  part  ２２００は、ＢＤ−ＲＥ／Ｒいずれにも適用される内容であり、ＢＤ−Ｒ  only  part  ２３００は、ＢＤ−Ｒにのみ適用される内容である。ＢＤ−ＲＥでは、ＢＤ−Ｒ  only  partのあらゆるバイトが００ｈで充填される。
【０１３１】
図２２の（ａ）を参照するに、シングルレイヤとデュアルレイヤとの従来の（Ｔ）ＤＤＳ（legacy（Ｔ）ＤＤＳ  for  ＳＬ＆ＤＬ）のフォーマットのＢＤ−ＲＥ／Ｒ  common  part  ２１０は、当該フォーマットがＴ（ＤＤＳ）であることを識別するためのＴ（ＤＤＳ）識別子（identifier  ２２１１））、００にセッティングされた（Ｔ）ＤＤＳフォーマット番号２２１２、インナースペア領域０サイズ２２１３、アウタースペア領域サイズ２２１４、インナースペア領域１サイズ２２１５、スペア領域フルフラグ２２１６、予約ビット、プリライト領域フラグ２２１７、予約ビット、Ｌ０上のＰＡＣ位置の状態ビット２２１８、Ｌ１像のＰＡＣ位置の状態ビット２２１９、予約ビットを含む。
【０１３２】
ここで、スペア領域フルフラグ２２１６は、媒体に含まれた各スペア領域が、データで充填されているか否かを示す情報である。
【０１３３】
プリライト領域フラグ２２１７は、媒体の各層に設けられたプリライト（pre-write）領域に、ドライブがデータ記録を行ったか否かを示す情報である。
【０１３４】
ＰＡＣ位置の状態ビット２２１８，２２１９は、ＰＡＣに含まれた各ブロックないし各クラスタに記録されたデータの状態を示す。例えば、ＰＡＣ位置の状態ビットは、ＰＡＣに含まれた各ブロックないし各クラスタに記録されたデータが有効であるか否かを示すことができる。
【０１３５】
図２２の（ｂ）を参照し、トリプルレイヤ（３層）とクァドラプルレイヤ（４層）とで適用される（Ｔ）ＤＤＳ（（Ｔ）ＤＤＳ  for  ＴＬ＆ＱＬ）のフォーマットの第１例について説明する。
【０１３６】
トリプルレイヤ（３層）とクァドラプルレイヤ（４層）とで適用される（Ｔ）ＤＤＳフォーマットのＢＤ−ＲＥ／Ｒ  common  part２２２０は、当該フォーマットが、Ｔ（ＤＤＳ）であることを識別するためのＴ（ＤＤＳ）識別子（identifier）２２２１、０１ｈにセッティングされた（Ｔ）ＤＤＳフォーマット番号２２２２、インナースペア領域サイズ２２２３、ミドルスペア領域サイズ２２２４、アウタースペア領域サイズ２２２５、スペア領域フルフラグ２２２６、予約ビット、プリライト領域フラグ２２２７、予約ビット、Ｌ０上のＰＡＣ位置の状態ビット２２２８、Ｌ１上のＰＡＣ位置の状態ビット２２２９、Ｌ２上のＰＡＣ位置の状態ビット２２３０、Ｌ３上のＰＡＣ位置の状態ビット２２３１を含む。
【０１３７】
インナースペア領域（ＩＳＡ）は、トラッキング方向から見たとき、最も内側に割り当てられたスペア領域であり、例えば、図１２のインナースペア領域１２１０及び図１５のインナースペア領域１５１０である。
【０１３８】
アウタースペア領域（ＯＳＡ）は、トラッキング方向から見たとき、最も外側に割り当てられたスペア領域であり、例えば、図１２のアウタースペア領域１２６０及び図１５のアウタースペア領域１５８０である。
【０１３９】
ミドルスペア領域（ＭＳＡ）は、インナースペア領域とアウタースペア領域との間に割り当てられたスペア領域をいう。
【０１４０】
図２２の（ｂ）では、既存の１層や２層のディスクでの（Ｔ）ＤＤＳと、３層／４層のディスクの（Ｔ）ＤＤＳとを区別するために、（Ｔ）ＤＤＳフォーマットコードを変更する。すなわち、（Ｔ）ＤＤＳフォーマットコード番号を、１層／２層では、００（図２２（ａ）の２２１２）にセッティングしたが、３層／４層では、０１（２２２２）にセッティングした。
【０１４１】
また、既存のＳＡサイズフィールドの定義を再定義し、ＭＳＡのサイズを同一に割り当て、ＭＳＡサイズを１つのフィールド値であるミドルスペア領域サイズ２２２４として示す。ＭＳＡは、３層ディスクでは、４つであり、４層ディスクでは、６つである。
【０１４２】
また、スペア領域が既存の４つから最大８つまで増加したので、スペア領域フルフラグ２２２６を８ビットで割り当て、プリライト領域フラグ（pre-write  area  flag）がレイヤ数ほど２つから４つに増加したので、４ビットで割り当て、Ｌ２，Ｌ３のためのＰＡＣ  areaを新たに割り当て、status  bits  of  ＰＡＣ  location  on  Ｌ２  ２２３０及びstatus  bits  of  ＰＡＣ  location  on  Ｌ３  ２２３１を設けた。このように、予約ビット（reserved  bit）を活用して、必要な追加情報fieldをおくことによって、既存フォーマットの情報fieldのbyte（bit）positionを、新規フォーマットでそのまま維持することによって、フォーマットの変化を最小化し、記録／再生装置のコントローラが容易にディスクを管理することができるようにしたものである。
【０１４３】
図２２の（ｃ）を参照し、トリプルレイヤ（３層）とクァドラプルレイヤ（４層）とで適用される（Ｔ）ＤＤＳ（（Ｔ）ＤＤＳ  for  ＴＬ＆ＱＬ）のフォーマットの第２例について説明する。
【０１４４】
トリプルレイヤ（３層）とクァドラプルレイヤ（４層）とで適用される（Ｔ）ＤＤＳフォーマットのＢＤ−ＲＥ／Ｒ  common  part  ２２４０は、当該フォーマットが、Ｔ（ＤＤＳ）であることを識別するためのＴ（ＤＤＳ）識別子（identifier）２２４１、０１ｈにセッティングされた（Ｔ）ＤＤＳフォーマット番号２２４２、インナースペア領域サイズ２２４３、右側ミドルスペア領域サイズ２２４４、アウタースペア領域サイズ２２４５、スペア領域フルフラグ２２４６、予約ビット、プリライト領域フラグ２２４７、予約ビット、左側ミドルスペア領域サイズ２２４８、Ｌ０上のＰＡＣ位置の状態ビット２２４９、Ｌ１上のＰＡＣ位置の状態ビット２２５０、Ｌ２上のＰＡＣ位置の状態ビット２２５１、Ｌ３上のＰＡＣ位置の状態ビット２２５２を含む。
【０１４５】
図２２の（ｃ）の場合は、（ｂ）とほぼ同一であり、ただし、ミドルスペア領域のサイズをいずれも均一にするというよりは、ディスクの外周方向にあるＲＭＳＡ（right  middle  spare  area）と、内周側にあるＬＭＳＡ（left  middle  spare  area）との大きさを異ならせるように、ＳＡ割り当てに柔軟性を追加した場合であり、予約ビットを活用して、ＬＭＳＡ  size  field  ２２４８を追加した場合である。図２２の（ａ）、（ｂ）では、３個のフィールドでスペア領域サイズを表示したが、図２２の（ｃ）の場合は、４個のフィールドでスペア領域サイズを表示することによって、従来より１個のフィールドをさらに追加したが、ディスクの内周側にあるスペア領域と、ディスクの外周側にあるスペア領域とのサイズを異ならせることができることによって、スペア領域の割り当てに融通性を与えることができる。
【０１４６】
図面には表示されていないが、かようなＬＭＳＡ（left  middle  spare  area）のサイズフィールド２２４８を、アウタースペア領域のサイズフィールド下に配列し、残りのフィールドを一つずつ押し出して位置させるフォーマットも考慮することができる。そのように配列する場合には、スペア領域サイズフィールド後のフィールドのバイト・ポジションが変わる。
【０１４７】
追記型情報記録媒体のためのＴＤＤＳフォーマットについて説明する。
【０１４８】
ディスク管理＆欠陥管理のための追記型情報記録媒体では、欠陥管理のためのＤＤＳ、ＤＦＬ、臨時ディスク（欠陥）管理のためのＴＤＤＳ（temporary  disc  definition  structure）、ＴＤＦＬ（temporary  defect  list）、ＳＲＲＩ（sequential  recording  range  information）（またはＳＢＭ（space  bitmap））、ディスクの物理的な領域の接近を統制するＰＡＣ（physical  access  control）のフォーマットを有している。
【０１４９】
ＴＤＤＳフォーマットの場合、spare  areaの割り当て情報、spare  area  full  flags、status  bits  of  ＰＡＣ、data  zoneのＴＤＭＡ割り当て情報、ＯＰＣ領域を指すＯＰＣポインタ、不一致フラグ（inconsistency  flag）、pre-write  area  flags、ＴＤＦＬを指すＴＤＦＬポインタ、ＳＢＭを指すＳＢＭポインタ、スペア領域を指すＳＡポインタを含んでいるために、高密度／多層によって必要な情報fieldが追加／変更されたり、情報fieldの定義が再定義されねばならない。
【０１５０】
図２３を参照し、追記型情報記録媒体のためのＴＤＤＳフォーマットのＢＤ−Ｒ  only  part  ２３００について説明する。図２３は、図２２のＢＤ−Ｒ  only  partの具体的な構造である。
【０１５１】
シングルレイヤとデュアルレイヤとの従来の（Ｔ）ＤＤＳ（legacy（Ｔ）ＤＤＳ  forＳＬ＆ＤＬ）のフォーマットのＢＤ−Ｒ  only  part  ２２１０は、ＳＢＭ不一致フラグ２３０１、インナースペア領域０のＴＤＭＡのサイズ２３０２）、アウタースペア領域のＴＤＭＡのサイズ２３０３、インナースペア領域１のＴＤＭＡのサイズ２３０４、予約ビット、Ｐ＿ＴＺ０，Ｐ＿ＴＺ１  ２３０５、予約ビット、Ｐ＿１ｓｔＤＦＬ−Ｐ＿８ｔｈＤＦＬ  ２３０６、予約ビット、Ｐ＿ＳＲＲＩ／Ｐ＿ＳＢＭ０  ２３０７、ＰＳＢＭ１  ２３０８、予約ビット、Ｐ＿ＩＳＡ０，Ｐ＿ＯＳＡ０，Ｐ＿ＯＳＡ１，Ｐ＿ＩＳＡ１  ２３０９、予約ビットを含む。
【０１５２】
図２３の（ｂ）を参照するに、トリプルレイヤとクァドラプルレイヤとの（Ｔ）ＤＤＳフォーマットのＢＤ−Ｒ  only  part２２２０は、４ビットからなるＳＢＭ不一致フラグ２３１１、インナースペア領域のＴＤＭＡのサイズ２３１２、ミドルスペア領域のＴＤＭＡのサイズ２３１３、アウタースペア領域のＴＤＭＡのサイズ２３１４、予約ビット、Ｐ＿ＴＺ０，Ｐ＿ＴＺ１  ２３１５、Ｐ＿ＴＺ２，Ｐ＿ＴＺ３  ２３１６、予約ビット、Ｐ＿１ｓｔＤＦＬ−Ｐ＿８ｔｈＤＦＬ  ２３１７、Ｐ＿９ｓｔＤＦＬ−Ｐ＿１６ｔｈＤＦＬ  ２３１８、Ｐ＿ＳＲＲＩ／Ｐ＿ＳＢＭ０  ２３１９、ＰＳＢＭ１  ２３２０、Ｐ＿ＳＢＭ２，ＰＳＢＭ３  ２３２１、Ｐ＿ＩＳＡ，Ｐ＿ＭＳＡ０，Ｐ＿ＭＳＡ１，Ｐ＿ＭＳＡ２  ２３２２、Ｐ＿ＭＳＡ３，Ｐ＿ＭＳＡ４，Ｐ＿ＭＳＡ５，Ｐ＿ＯＳＡ  ２３２３を含む。
【０１５３】
図２３の（ｂ）の例では、既存フォーマットの情報fieldのbyte（bit）positionを新規フォーマット中でそのまま維持しつつ、層数の増加によって、さらに必要なフィールドを既存の予約ビットを利用して設ける。
【０１５４】
ＳＢＭ２、ＳＢＭ３によって、ＳＢＭ２、ＳＢＭ３のためのinconsistency  flags  ２３１１を、従来の２ビットから４ビットに拡張する。ＳＢＭ不一致フラグは、実際のディスクに記録されたデータの記録有無状態とＳＢＭの情報とが一致しているか否かを示すフラグである。ディスクにデータを記録するたびに、そのときの状態を反映させてＳＢＭを更新するのは効率的ではないために、ＳＢＭは、一定時点でディスクの記録状態を反映させて更新し、更新がなされ、実際の記録状態とＳＢＭ情報とが一致するときは、フラグを一致状態に設定し、更新がなされずに、実際記録状態とＳＢＭ情報とが一致しないときは、フラグを不一致状態に設定することができる。
【０１５５】
図２３の（ｂ）で、４つ（for  ＴＬ）または６つ（for  ＱＬ）のＭＳＡ（middle  sp
are  area）内に割り当てられる４つ（for  ＴＬ）または６つ（for  ＱＬ）のＴＤＭＡの大きさは、いずれも同一に割り当て、１つのＴＤＭＡ  size  field値２３１３として定義する。
【０１５６】
Ｐ＿ＴＺｎは、レイヤＬｎ（ｎ＝０，１，２，３）に配列されたテスト領域（ＯＰＣ領域）の次に利用可能な物理的セクタ番号（next  available  physical  sector  number）を示す。図２３の（ｂ）では、新たに追加された３層と４層とのＯＰＣ areaのために、Ｐ＿ＴＺ２，Ｐ＿ＴＺ３  ２３１６を予約ビットを利用して追加した。
【０１５７】
Ｐ＿ｎｔｈＤＦＬは、欠陥リストのｎ番目のクラスタの最初の物理的セクタ番号（firstＰＳＮ  of  nth  cluster  of  defect  list（ｎ＝１，２，…，１６））を示す。図２３の（ｂ）では、ＴＤＦＬ最大sizeの増加により、Ｐ＿９ｔｈＤＦＬ〜Ｐ＿１６ｔｈＤＦＬ  ２３１８を、reserved  fieldを利用して追加した。
Ｐ＿ＳＢＭｎは、レイヤＬｎのＳＢＭの最初の物理的セクタ番号（first  ＰＳＮ  ofＳＢＭ  for  Ｌｎ（ｎ＝０，１，２，３））を示す。各層ごとに１つのＳＢＭが存在する。図２３の（ｂ）では、３層と４層とのＳＢＭのために、Ｐ＿ＳＢＭ２，Ｐ＿ＳＢＭ３  ２３２１を、予約ビットを利用して追加した。Ｐ＿ＳＲＲＩは、ＳＲＲＩの最初の物理的セクタ番号を示す。
【０１５８】
Ｐ＿ＩＳＡ（ＯＳＡまたはＭＳＡｎ）は、ＩＳＡ、ＯＳＡまたはＭＳＡｎの次に利用可能な物理的セクタ番号（next  available  ＰＳＮ  of  ＩＳＡ（ＯＳＡまたはＭＳＡｎ）、ｎ＝０，１，２，３，４，５）を示す。図２２の（ｂ）では、スペア領域の個数が最大４つから最大８つに増加させることによって、１層Ｌ０、２層Ｌ１に割り当てられた４個のスペア領域に係わるnext  availableＰＳＮのためのfield  ２３２２の定義を再定義し、３層Ｌ２、４層Ｌ３に割り当てられた４個のＳＡに係わるnext  available  ＰＳＮのためのfield  ２３２３を追加した。３層ディスクのためには、Ｐ＿ＭＳＡ４とＰ＿ＭＳＡ５とのあらゆるバイトが００ｈに設定させることができる。
【０１５９】
図２３の（ｃ）を参照するに、トリプルレイヤとクァドラプルレイヤとの（Ｔ）ＤＤＳフォーマットのＢＤ−Ｒ  only  part  ２２４０は、４ビットからなるＳＢＭ不一致フラグ２３３１、インナースペア領域のＴＤＭＡのサイズ２３３２、右側ミドルスペア領域のＴＤＭＡのサイズ２３３３、左側ミドルスペア領域のＴＤＭＡのサイズ２３３４、アウタースペア領域のＴＤＭＡのサイズ２３３５、予約ビット、Ｐ＿ＴＺ０，Ｐ＿ＴＺ１  ２３３６、Ｐ＿ＴＺ２，Ｐ＿ＴＺ３  ２３３７、予約ビット、Ｐ＿１ｓｔＤＦＬ−Ｐ＿８ｔｈＤＦＬ  ２３３８、Ｐ＿９ｓｔＤＦＬ−Ｐ＿１６ｔｈＤＦＬ  ２３３９、Ｐ＿ＳＲＲＩ／Ｐ＿ＳＢＭ０  ２３４０、ＰＳＢＭ１  ２３４１、Ｐ＿ＳＢＭ２，ＰＳＢＭ３  ２３４２、Ｐ＿ＩＳＡ，Ｐ＿ＭＳＡ０，Ｐ＿ＭＳＡ１，Ｐ＿ＭＳＡ２  ２３４３、Ｐ＿ＭＳＡ３，Ｐ＿ＭＳＡ４，Ｐ＿ＭＳＡ５，Ｐ＿ＯＳＡ  ２３４４を含む。
【０１６０】
図２３の（ｃ）は、図２３の（ｂ）とほぼ類似しているが、ＲＭＳＡ内に割り当てられるＴＤＭＡ  size  ２３３３と、ＬＭＳＡ内に割り当てられるＴＤＭＳ  size  ２３３４とを異ならせることができるほど、関連fieldを一つ追加した点で違いがある。すなわち、図２３の（ｂ）では、ＭＳＡのサイズをいずれも同一にし、１つのフィールドで表示することを可能にしたが、図２３の（ｃ）では、ミドルスペア領域のＴＤＭＡサイズをいずれも均一にするよりは、ディスクの外周方向にあるＲＭＳＡ（right  middle  spare  area）のＴＤＭＡと、内周側にあるＬＭＳＡ（left  middle  spare  area）のＴＤＭＡとの大きさを異ならせることができるように、ＴＤＭＡ割り当てに柔軟性を与えるのである。
【０１６１】
３層ディスク（ＴＬ  disc）上に適用されない４層ディスク（ＱＬ  disc）関連情報fieldのあらゆるバイトは、ＴＬ discで００ｈに設定される。
【０１６２】
ＴＤＦＬフォーマットについて説明する。
【０１６３】
ＴＤＦＬフォーマットの場合、ＴＤＦＬフォーマットの最大サイズが、高密度／多層によって大きくなるので、フォーマットのバージョン変更のような方法によって変更された大きさのＴＤＦＬフォーマットを認識できるようにせねばならない。
【０１６４】
図２４の（ａ）を参照するに、１層／２層の従来の（Ｔ）ＤＦＬ  ２４１０は、（Ｔ）ＤＦＬであることを識別するための（Ｔ）ＤＦＬ識別子
２４１１と、００にセッティングされた（Ｔ）ＤＦＬフォーマット番号２４１２とを含み、そのフォーマット・サイズ２４１３は、１層ディスクでは、４クラスタであり、２層ディスクでは、８クラスタである。
【０１６５】
図２４の（ｂ）を参照するに、３層／４層ディスクのために、本発明が提案する構造２４２０は、（Ｔ）ＤＦＬであることを識別するための（Ｔ）ＤＦＬ識別子２４２１と、０１にセッティングされた（Ｔ）ＤＦＬフォーマット番号２４２２とを含む。１層／２層（Ｔ）ＤＦＬフォーマットと、３層／４層（Ｔ）ＤＦＬフォーマットとを区別するために、（Ｔ）ＤＦＬフォーマット番号２４２２を０１ｈにセッティングする。フォーマット・サイズ２４２３も、３層ディスクでは、１２クラスタ、４層ディスクでは、１６クラスタに変わる。
【０１６６】
ＳＢＭフォーマットについて説明する。
【０１６７】
ＳＢＭフォーマットの場合、各層に係わるＳＢＭが存在し、ＳＢＭフォーマットには、当該ＳＢＭが、いかなるlayerのためのものであるかを示すための層番号（layer  number）を有するが、層数の増加によって、かような情報定義の拡張が必要である。また、ビットマップを示すための領域の物理的な区間をアドレス（ＰＳＮ）として示すが、高密度によって、かようなアドレスの開始と終了とが変わるために、当該フィールドの定義が再定義されねばならない。これによって、format  version変更（すなわち、フォーマット番号変更）のような方法によって変更されたＳＢＭを認識可能にせねばならない。
【０１６８】
ＰＡＣ（physical  access  control）フォーマットについて説明する。
【０１６９】
ＰＡＣフォーマットの場合、ディスクに割り当てられた各領域（リードイン領域の予約領域（reserved  area）を含む）の記録／再生可能いかんを示す情報を含んでいるために、高密度／多層によって、ディスクに割り当てられた領域の大きさや位置または用途などの追加／変更によって、フォーマットの情報フィールドが追加／変更されたり、情報フィールドの定義が再定義されねばならない。
【０１７０】
図２５の（ａ）を参照するに、従来のＰＡＣ  ２５１０は、ＰＡＣであることを識別するためのＰＡＣ識別子フィールド２５１１と、００にセッティングされたＰＡＣフォーマット番号フィールド２５１２とを含む。
【０１７１】
図２５の（ｂ）を参照するに、本発明の一例によるＰＡＣ  ２５２０は、ＰＡＣであることを識別するための、ＰＡＣ識別子フィールド２５２１と、０１にセッティングされたＰＡＣフォーマット番号フィールド２５２２とを含む。記録層の追加によって、本発明が提案するＰＡＣフォーマット２５２０は、１層／２層ＰＡＣフォーマットと、３層／４層ＰＡＣフォーマットとを区別するために、ＰＡＣフォーマット番号２５２２を０１ｈにセッティングする。
【０１７２】
従来のＰＡＣフォーマットは、リードイン領域に配列されたそれぞれの予約領域に対して、read可能であるか否かということと、write可能であるか否かということとを示す情報（unknown  ＰＡＣ  rules  for  reserved  area  ５〜８）を有しているが、記録層の追加によって、予約領域（reserved  area）５〜８のうち少なくとも一つは、３層／４層ディスク（ＴＬ／ＱＬ  disc）上に割り当てられていなかったり、割り当てられるとしても、reserved  area  ５〜８が割り当てられたディスク上の位置や大きさ、用途の変更などによって、read可能であるか否かということと、write可能であるか否かということとを示す値が変更される。従って、ＰＡＣフォーマット番号を、従来（１層／２層）とは異ならせることにより、従来のＰＡＣフォーマットのフィールド内容と、３層／４層のＰＡＣフォーマットのフィールド内容とが異なることを定義するために、３層／４層ディスクのＰＡＣフォーマット番号は、従来（１層／２層）ディスクのＰＡＣフォーマット番号とは異なって、新たな番号で定義する必要がある。
【０１７３】
ＤＤＳフォーマットとＤＦＬフォーマットとの場合、最終化時に、最終的なＴＤＤＳとＴＤＦＬとがそれぞれＤＤＳとＤＦＬとに転換されて記録されるので、ＴＤＤＳフォーマットとＴＤＦＬフォーマットとの高密度／多層によるフォーマット・バージョンの変更、情報フィールドの追加／変更、情報フィールドの再定義に従属する。
【０１７４】
図２６は、本発明による記録再生装置の概略的なブロック図である。図２６を参照するに、本実施形態による装置は、記録／読み取り部２６１０、制御部２６２０を含む。
【０１７５】
記録／読み取り部２６１０は、制御部２６２０の制御により、本実施形態による情報記録媒体の記録媒体１００にデータを記録し、記録されたデータを読み取る。
【０１７６】
制御部２６２０は、記録媒体１００にデータを記録したり読み取るように、記録／読み取り部２６１０を制御する。記録時には、本願による情報記録媒体にデータを記録したり、ＯＰＣ領域にテスト記録を行い、再生時には、本願による情報記録媒体からデータを再生する。また、媒体のデータ領域にデータを記録を記録していて、欠陥を検出すれば、欠陥についての情報を媒体のＴＤＭＡに記録する。
【０１７７】
記録側面の装置と再生側面の装置は、別個の装置で具現されもし、図２６に図示されているように、１つのシステムとして具現されもする。
【０１７８】
図２７は、図２６に図示された本発明による記録再生装置が具現されたドライブのブロック図である。図２７を参照するに、ドライブは、記録／読み取り部２６１０として、ピックアップを具備する。記録媒体１００は、ピックアップに装着されている。また、ドライブは、制御部２６２０として、ホストＩ／Ｆ（interface）１、ＤＳＰ（digital  signal  processor２、ＲＦ  ＡＭＰ（radio  frequency  amplifier）３、サーボ４及びシステム・コントローラ５を具備する。
【０１７９】
記録時、ホストＩ／Ｆ  １は、ホスト（図示せず）から記録するデータと共に、記録命令を受ける。システム・コントローラ５は、記録に必要な初期化を遂行する。ＤＳＰ  ２は、ＰＣＩ／Ｆ  １から受けた記録を行うデータを、エラー訂正のために、パリティなどの付加データを添加し、ＥＣＣ（error  correcting  code）エンコーディングを遂行した後、ＥＣＣエンコーディングされたデータを既定の方式で変調する。ＲＦ  ＡＭＰ  ３、はＤＳＰ  ２から出力されたデータをＲＦ信号に変える。ピックアップ２６１０は、ＲＦ  ＡＭＰ  ３から出力されたＲＦ信号を、追記型媒体１００に記録する。サーボ４は、システム・コントローラ５から、サーボ制御に必要な命令を入力され、ピックアップ２６１０をサーボ制御する。
【０１８０】
特に、本発明によるシステムコントローラ５は、本願でのようなＯＰＣ領域ないしＴＤＭＡ領域が配列された記録媒体、すなわち、複数の記録層のうち少なくとも１層は、データ領域で検出された欠陥についての情報を記録するための臨時欠陥管理領域を、その内周領域に含み、高層に配列された臨時欠陥管理領域の大きさは、低層に配列された臨時欠陥管理領域の大きさよりもさらに大きい情報記録媒体と係わって、データを伝達し、また、臨時欠陥管理領域に、前記欠陥についての情報を記録するように、前記ピックアップを制御する。
【０１８１】
再生時、ホストＰＣＩ／Ｆ  １は、ホスト（図示せず）から再生命令を受ける。システム・コントローラ５は、再生に必要な初期化を行う。ピックアップ２６１０は、追記型媒体１００にレーザビームを照射し、追記型媒体１００から反射されたレーザビームを受光して得られた光信号を出力する。ＲＦ  ＡＭＰ  ３は、ピックアップ２６１０から出力された光信号をＲＦ信号に変え、ＲＦ信号から得られた変調されたデータをＤＳＰ  ２に提供する一方、ＲＦ信号から得られた制御のためのサーボ信号を、サーボ４に提供する。ＤＳＰ  ２は、変調されたデータを復調し、ＥＣＣエラー訂正を経て得られたデータを出力する。一方、サーボ４は、ＲＦ  ＡＭＰ  ３から受けたサーボ信号と、システム・コントローラ５から受けたサーボ制御に必要な命令とを受け、ピックアップ２６１０に係わるサーボ制御を行う。ホストＩ／Ｆ  １は、ＤＳＰ  ２から受けたデータを、ホストに送る。
【０１８２】
特に、本発明によるシステムコントローラ５は、本願でのようなＯＰＣ領域ないしＴＤＭＡ領域が配列された記録媒体、すなわち、複数の記録層のうち少なくとも１層は、前記データ領域で検出された欠陥についての情報を記録するための臨時欠陥管理領域を、その内周領域に含み、高層に配列された臨時欠陥管理領域の大きさは、低層に配列された臨時欠陥管理領域の大きさよりもさらに大きい情報記録媒体と係わって、データを伝達し、また、臨時欠陥管理領域から欠陥についての情報を読み取るように、ピックアップを制御する。
【０１８３】
また、本発明によるシステムコントローラ５は、前述のような方法によって、情報フォーマットが新たに定義されたディスクに、新たに定義された情報フォーマットによって、データを記録／再生する。本発明の一例によって、情報記録媒体の高密度／多層によって追加／変更される情報フィールド（field）を追加／変更し、情報フォーマットのフォーマット・バージョンナンバ（format  version  number）を、既存情報フォーマットと区分して設定したり、また、本発明の一例によって、既存情報フォーマットにある情報フィールドの定義が、情報記録媒体の高密度／多層によってその意味が追加／変更される場合、情報フィールドの意味を解釈することができるように、情報フィールドの定義を再定義する。
【０１８４】
図２８は、本発明による記録方法の一例である。図２８を参照するに、各記録層が内周領域とデータ領域とを含み、前記複数の記録層のうち少なくとも１層は、前記データ領域で検出された欠陥についての情報を記録するための臨時欠陥管理領域を、その内周領域に含み、高層に配列された臨時欠陥管理領域の大きさは、低層に配列された臨時欠陥管理領域の大きさよりもさらに大きい情報記録媒体と係わって、データを伝達し（２８１０）、また、前記臨時欠陥管理領域に、前記欠陥についての情報を記録する（２８２０）。
【０１８５】
図２９は、本発明による再生方法の一例である。図２９を参照するに、各記録層が内周領域とデータ領域とを含み、前記複数の記録層のうち少なくとも１層は、前記データ領域で検出された欠陥についての情報を記録するための臨時欠陥管理領域を、その内周領域に含み、高層に配列された臨時欠陥管理領域の大きさは、低層に配列された臨時欠陥管理領域の大きさよりもさらに大きい情報記録媒体と係わって、データを伝達し（２９１０）、また、前記臨時欠陥管理領域から、前記欠陥についての情報を再生する（２９２０）。
【０１８６】
前述のような記録再生方法はま、コンピュータで読み取り可能な記録媒体に、コンピュータで読み取り可能なコードとして具現することが可能である。コンピュータで読み取り可能な記録媒体は、コンピュータ・システムによって読み取り可能なデータが保存されるあらゆる種類の記録装置を含む。コンピュータで読み取り可能な記録媒体の例としては、ＲＯＭ（read-only  memory）、ＲＡＭ（random-access  memory）、ＣＤ−ＲＯＭ、磁気テープ、フロッピー（登録商標）ディスク、光データ保存装置などがあり、またキャリアウェーブ（例えば、インターネットを介した伝送）の形態で具現されるものも含む。また、コンピュータで読み取り可能な記録媒体は、ネットワークに連結されたコンピュータ・システムに分散され、分散方式でコンピュータで読み取り可能なコードが保存されて実行されうる。そして、前記記録再生方法を具現するための機能的な（function）プログラム、コード及びコードセグメントは、本発明が属する技術分野のプログラマらによって容易に推論されうる。
【０１８７】
以上、本発明についてその望ましい実施形態を中心に説明した。本発明が属する技術分野で当業者であるならば、本発明が本発明の本質的な特性から外れない範囲で変形された形態に具現されうることを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【図１】
0005639601.tif 000002
【図２】
0005639601.tif 000003
【図３】
0005639601.tif 000004
【図４】
0005639601.tif 000005
【図５】
0005639601.tif 000006
【図６】
0005639601.tif 000007
【図７】
0005639601.tif 000008
【図８】
0005639601.tif 000009
【図９】
0005639601.tif 000010
【図１０】
0005639601.tif 000011
【図１１】
0005639601.tif 000012
【図１２】
0005639601.tif 000013
【図１３】
0005639601.tif 000014
【図１４】
0005639601.tif 000015
【図１５】
0005639601.tif 000016
【図１６】
0005639601.tif 000017
【図１７】
0005639601.tif 000018
【図１８】
0005639601.tif 000019
【図１９】
0005639601.tif 000020
【図２０】
0005639601.tif 000021
【図２１】
0005639601.tif 000022
【図２２】
0005639601.tif 000023
【図２３】
0005639601.tif 000024
【図２４】
0005639601.tif 000025
【図２５】
0005639601.tif 000026
【図２６】
0005639601.tif 000027
【図２７】
0005639601.tif 000028
【図２８】
0005639601.tif 000029
【図２９】
0005639601.tif 000030